(57)【要約】【課題】電子書籍等に含まれる文章データの音声再生を行う際に、ユーザが当該文章データの内容を十分に楽しむことができる電子機器を提供する。【解決手段】本発明に係る電子機器１は、文章データの音声再生を行う音声解析部２４及び音声変換部３１は、文章データに含まれる属性情報を読み取る属性情報読取部１０によって読み取られた属性情報に対応付けられた設定情報に応じて文章データの音声再生を行う。【選択図】図１
2013025112.tif 000002
【特許請求の範囲】
【請求項１】
文章データの音声再生を行う音声再生手段と、
上記文章データに含まれる属性情報を読み取る属性情報読取手段と、を備え、
上記音声再生手段は、上記属性情報読取手段によって読み取られた属性情報に対応付けられた設定情報に応じて上記文章データの音声再生を行う、
ことを特徴とする電子機器。
【請求項２】
上記属性情報は、上記文章データのジャンル、及び、著者を特定する情報である、
ことを特徴とする請求項１に記載の電子機器。
【請求項３】
語句を検出する文章解析手段と、
上記文章解析手段において検出された語句に基づいて、上記文章データを構成する一部分におけるテーマを解析するテーマ解析手段と、
上記文章解析手段において検出された語句が、上記テーマ解析手段において解析されたテーマと関連する語句である場合に、当該語句に応じた効果音を再生する効果音再生手段と、
上記テーマ解析手段において解析されたテーマに応じた音楽を再生する音楽再生手段と、
上記文章解析手段において検出された語句が、上記テーマ解析手段において解析されたテーマと関連する語句である場合に、当該語句に応じた画像を表示する画像表示手段と、をさらに備えている
ことを特徴とする請求項１又は２に記載の電子機器。
【請求項４】
上記文章データから、当該文章データに含まれる登場人物、及び、当該登場人物の属性を検出する登場人物解析手段をさらに備え、
上記音声再生手段は、上記登場人物解析手段による検出結果から、上記文章データを、各登場人物の属性に対応付けられた設定情報に応じた音声で再生する、
ことを特徴とする請求項３に記載の電子機器。
【請求項５】
画像を表示する表示部をさらに備え、
上記文章データが、柱書き又はト書きを含む劇文学である場合、
上記画像表示手段は、上記再生手段が、上記柱書き又はト書きに対応する文章データの再生を開始する時点で、上記表示部に上記柱書き又はト書きを表示する、
ことを特徴とする請求項４に記載の電子機器。
【請求項６】
上記画像表示手段は、上記柱書き又はト書きに対応する文章データの再生を開始する時点で、上記表示部への電源の供給を開始させる、
ことを特徴とする請求項５に記載の電子機器。
【請求項７】
上記文章解析手段は、上記文章データから、上記登場人物の台詞の表現に関する語句を検出し、
上記音声再生手段は、上記登場人物に関連する文章のうち、当該登場人物の台詞を、上記文章解析手段によって検出された、上記台詞の表現に関する語句に応じた表現で音声再生する、
ことを特徴とする請求項５又は６に記載の電子機器。
【請求項８】
上記文章データが、電子メールである場合、
上記属性情報読取手段は、上記電子メールのアドレスデータを属性情報として読み取り、
上記音声再生手段は、上記アドレスデータに対応付けられた設定情報に応じて上記電子メールの音声再生を行う、
ことを特徴とする請求項１に記載の電子機器。
【請求項９】
上記文章解析手段において検出された語句、及び、上記テーマ解析手段において解析されたテーマの少なくとも何れかと関連する効果音、音楽、及び画像の少なくとも何れかを、外部ネットワークから取得する外部データ取得手段をさらに備え、
上記効果音再生手段は、上記外部データ取得手段において取得された効果音を再生し、
上記音楽再生手段は、上記外部データ取得手段において取得された音楽を再生し、
上記画像表示手段は、上記外部データ取得手段において取得された画像を表示する、
ことを特徴とする請求項４から７の何れか１項に記載の電子機器。
【請求項１０】
文章データの音声再生を行う音声再生ステップと、
上記文章データに含まれる属性情報を読み取る属性情報読取ステップと、を含み、
上記音声再生ステップにおいて、上記属性情報読取ステップにて読み取られた属性情報に対応付けられた設定情報に応じて上記文章データの音声再生を行う、
ことを特徴とする再生方法。
【請求項１１】
コンピュータを請求項１から９の何れか１項に記載の電子機器として動作させるためのプログラムであって、上記コンピュータを上記電子機器の各手段として機能させるプログラム。
【請求項１２】
請求項１１に記載のプログラムを記録したコンピュータ読み取り可能な記録媒体。
【発明の詳細な説明】
【技術分野】
【０００１】
本発明は、文章データを音声再生する電子機器、及び、その再生方法に関するものである。
【背景技術】
【０００２】
近年、書籍の電子化と共に、電子化された書籍を、ユーザが紙の書籍を読むような感覚で読めるよう表示する電子書籍装置が普及してきている。このような電子書籍装置は、従来の紙の書籍と比較して、資源の消費を抑えることができる。また、電子書籍装置は、また、一つの装置で複数の電子書籍を表示することができるため、携帯に便利である。
【０００３】
また、電子書籍を利用する際の便利な機能として、電子書籍の本文に合わせて画像を表示する機能を備えた電子書籍装置が開発されている。
【０００４】
例えば、特許文献１には、文章に含まれる複数の語句のそれぞれの役割から取得した、語句に対応付けられている適切な語句イメージ画像が、役割に応じた位置に配置された、文章の内容をイメージさせる文章イメージ画像を生成する文章変換システムが開示されている。
【０００５】
また、文章の作成に関する便利な機能として、特許文献２には、電子メール等の電子文章や通話相手の音声情報の感情解析の結果に応じた文章の作成を支援する機能を有する通信装置が開示されている。
【０００６】
さらに、表示した電子書籍の本文を自動で朗読する自動再生機能、電子書籍の本文に合わせて画像を表示する機能などを備えた電子書籍装置も開発されてきている。
【０００７】
例えば、特許文献３には、電子化された書籍本文の表示形態を下線引きなどにより順次加工し、加工された本文の到達位置（すなわち下線の到達位置）から音声、効果音、及び、画像を自動再生可能な電子書籍装置が開示されている。
【０００８】
特許文献４には、表示された書籍の文字、挿絵、及び、音声を、読む人の適当なはやさに合わせて出力することができる電子ブックプレーヤが開示されている。
【０００９】
このような、音声の自動再生機能を備えた電子書籍装置を用いれば、ユーザは電子書籍を直接読むことなく内容を把握することができるので、例えば、目の不自由なお年寄りなどの視角に障害を有している人であっても、電子書籍を楽しむことができる。
【先行技術文献】
【特許文献】
【００１０】
【特許文献１】特開２０１０−２４４２９１号公報（２０１０年１０月２８日公開）
【特許文献２】特開２００９−１１００５６号公報（２００９年５月２１日公開）
【特許文献３】特開２００６−３３１２５７号公報（２００６年１２月７日公開）
【特許文献４】特開２０００−０９９３０８号公報（２０００年４月７日公開）
【発明の概要】
【発明が解決しようとする課題】
【００１１】
ところで、特許文献３及び４に記載の技術では、電子書籍に含まれる文章データを単に読み上げるようにして音声再生を行っているだけであり、電子書籍のジャンル、著者などの書籍の属性に関係なく音声の再生がされるため、音声再生を行う際に、電子書籍の内容に応じた細やかな表現、及び、臨場感の付加が行われない。
【００１２】
従って、特許文献３及び４に記載の技術では、電子書籍を十分に楽しむことができないという問題が生じる。
【００１３】
例えば、再生しようとする電子書籍が女性の著者の自叙伝であるにも係わらず、男性の音声で再生される場合などでは、ユーザは再生される音声に違和感を感じてしまい、電子書籍を純粋に楽しむことができない。
【００１４】
また、再生しようとする電子書籍が戯曲（劇文学）や脚本の場合であっても、単に、記載された内容を朗読するだけでは、電子書籍に含まれている細やかな表現や臨場感といったものを味わうことができず、やはり、電子書籍を十分に楽しむことができないという問題が生じる。
【００１５】
本発明は、上記の問題点に鑑みてなされたものであり、その目的は、電子書籍等に含まれる文章データの音声再生を行う際に、ユーザが当該文章データの内容を十分に楽しむことができる電子機器を提供することにある。
【課題を解決するための手段】
【００１６】
本発明に係る電子機器は、上記の課題を解決するために、文章データの音声再生を行う音声再生手段と、上記文章データに含まれる属性情報を読み取る属性情報読取手段と、を備え、上記音声再生手段は、上記属性情報読取手段によって読み取られた属性情報に対応付けられた設定情報に応じて上記文章データの音声再生を行う、ことを特徴としている。
【００１７】
また、本発明に係る再生方法は、上記の課題を解決するために、文章データの音声再生を行う音声再生ステップと、上記文章データに含まれる属性情報を読み取る属性情報読取ステップと、を含み、上記音声再生ステップにおいて、上記属性情報読取ステップにて読み取られた属性情報に対応付けられた設定情報に応じて上記文章データの音声再生を行う、ことを特徴としている。
【００１８】
上記の構成によれば、上記文章データは、当該文章データに含まれる属性情報に応じて設定された設定情報に基づいて音声再生されるので、上記文章データの属性に合った音声再生を行うことが可能となる。
【００１９】
ここで、上記文章データの属性に合った音声再生とは、例えば、上記文章データが女性の著者の自叙伝である電子書籍の場合には、女性の声で音声再生することなどを示している。これによって、上記電子機器は、上記文章データが、当該文章データの属性に合わない音声で再生されてしまうことを防ぐことができる。
【００２０】
このように、上記文章データの属性に合った音声再生を行うことを可能にすることで、ユーザは、上記文章データの内容を十分に楽しむことができる。
【００２１】
本発明の電子機器において、上記属性情報は、上記文章データのジャンル、及び、著者を特定する情報である、ことが好ましい。
【００２２】
上記の構成によれば、上記音声再生手段は、再生時に使用する属性情報が文章データのジャンル及び著者を特定する情報であるので、上記文章データのジャンル、及び、著者に合った音声で上記文章データの文章を音声再生することができる。ここで、文章データのジャンルを特定する情報は年齢層を特定する情報であり、著者を特定する情報は性別を特定する情報とすると、例えば、上記音声再生手段は、上記ジャンルに応じて決定された、再生に用いられる音声の年齢層と、上記著者の性別に応じて決定された、再生に用いられる音声の性別とから決定された音声を用いて上記文章データを音声再生することができる。
【００２３】
これによって、ユーザは、上記文章データの内容を、上記ジャンル及び著者に適した音声で楽しむことができる。
【００２４】
本発明に係る電子機器は、文章データを解析して予め設定した語句を検出する文章解析手段と、上記文章解析手段において検出された語句に基づいて、上記文章データを構成する一部分におけるテーマを解析するテーマ解析手段と、上記文章解析手段において検出された語句が、上記テーマ解析手段において解析されたテーマと関連する語句である場合に、当該語句に応じた効果音を再生する効果音再生手段と、上記テーマ解析手段において解析されたテーマに応じた音楽を再生する音楽再生手段と、上記文章解析手段において検出された語句が、上記テーマ解析手段において解析されたテーマと関連する語句である場合に、当該語句に応じた画像を表示する画像表示手段と、をさらに備えている、ことが好ましい。
【００２５】
上記の構成によれば、上記テーマ解析手段は、上記文章データを構成する一部分毎に、テーマを解析する。また、上記効果音再生手段は、上記文章解析手段において検出された語句が、上記テーマと関連する場合にのみ、当該語句に応じた効果音を出力する。上記音楽再生手段は、上記テーマ解析手段において解析されたテーマに応じた音楽を出力する。また、上記画像表示手段は、上記文章解析手段において検出された語句が、上記テーマと関連する場合にのみ、当該語句に応じた画像を出力する。
【００２６】
これによって、上記効果音再生手段、及び、上記画像表示手段は、上記テーマに関係ない語句が検出された場合に、当該テーマに関係ない語句に応じた効果音及び画像が出力されることを防ぎ、ユーザに違和感を与えてしまうことを低減することができる。したがって、ユーザは、上記文章データが再生される音声と併せて、適切な効果音、音楽及び画像などを楽しむことができる。
【００２７】
なお、上記文章データを構成する一部分としては、例えば、一文、段落、節、章などを挙げることができる。上記効果音としては、爆発音などの効果音を挙げることができ、上記音楽としては、ＢＧＭなどの効果音楽を挙げることができ、また、上記画像としては、写真、及び、絵などを挙げることができる。
【００２８】
本発明の電子機器は、上記文章データから、当該文章データに含まれる登場人物、及び、当該登場人物の属性を検出する登場人物解析手段をさらに備え、上記音声再生手段は、上記登場人物解析手段による検出結果から、上記文章データを、各登場人物の属性に対応付けられた設定情報に応じた音声で再生する、ことが好ましい。
【００２９】
上記の構成によれば、上記音声再生手段が、上記登場人物解析手段による検出結果から、文章データを、各登場人物の属性に対応付けられた設定情報に応じた音声で再生することにより、登場人物毎に音声を変え、それぞれの登場人物の属性に合った音声で、台詞などの登場人物に関係した文章を再生することができる。上記登場人物の属性に合った音声での再生とは、例えば、文章データが小説などの電子書籍である場合に、小説の各登場人物の音声を変えて再生することを示す。
【００３０】
このように、上記登場人物の属性に合った音声再生を行うことを可能にすることで、ユーザは、上記文章データを、１つの音声で再生される場合よりも、より細やかな表現、及び、臨場感のある音声再生を聞くことができるため、上記文章データの内容をさらに楽しむことができる。
【００３１】
本発明に係る電子機器は、画像を表示する表示部をさらに備え、上記文章データが、柱書き又はト書きを含む劇文学である場合、上記画像表示手段は、上記再生手段が、上記柱書き又はト書きに対応する文章データの再生を開始する時点で、上記表示部に上記柱書き又はト書きを表示する、ことが好ましい。
【００３２】
上記の構成によれば、上記劇文学である文章データの柱書き部分又はト書き部分を、上記表示部に表示させることができる。これによって、ユーザは、上記柱書き又はト書きで表現された、上記登場人物の動作などを、音声再生される文章データと併せて知ることができ、上記文章データの内容をより楽しむことができる。
【００３３】
なお、柱書きとは、劇文学においては、シーンの最初に書かれ、その場所と時間を示している文章のことを指すのが一般的である。また、ト書きとは、上記劇文学においては、例えば、上記登場人物の動作、照明、及び、効果音などの演出について、大まかな指示を記述する文章のことを指すのが一般的である。
【００３４】
本発明に係る電子機器において、上記画像表示手段は、上記再生手段が、上記柱書き又はト書きに対応する文章データの再生を開始する時点で、上記表示部への電源の供給を開始させる、ことが好ましい。
【００３５】
上記の構成によれば、上記劇文学である文章データの柱書き部分又はト書き部分を、上記表示部に電源が供給されていない状態（すなわち、表示部がＯＦＦ状態）である場合にも、当該表示部に電源が供給されている状態（すなわち、表示部がＯＮ状態）にした上で、当該表示部に表示させることができる。これによって、ユーザは、上記表示部がＯＦＦ状態である場合にも上記柱書き又はト書きで表現された、上記登場人物の動作などを、音声再生される文章データと併せて知ることができ、上記文章データの内容をより楽しむことができる。
【００３６】
本発明に係る電子機器において、上記文章解析手段は、上記文章データから、上記登場人物の台詞の表現に関する語句を検出し、上記音声再生手段は、上記登場人物に関連する文章のうち、当該登場人物の台詞を、上記文章解析手段によって検出された、上記台詞の表現に関する語句に応じた表現で音声再生する、ことが好ましい。
【００３７】
上記の構成によれば、上記登場人物の台詞を、当該登場人物の台詞の表現に関する語句によって表現された表現方法で、音声再生する。例えば、上記文章解析手段が「ゆっくり」などという上記登場人物の台詞の表現に関する語句を検出した場合、当該台詞の表現に対応する台詞をゆっくり音声再生する。また、上記文章解析手段が「大きな声」などという上記登場人物という上記登場人物の台詞の表現に関する語句を検出した場合、当該台詞の表現に対応する台詞を、他の箇所よりも大きな音量で音声再生する。
【００３８】
これによって、上記音声再生手段は、上記登場人物の台詞を、上記文章データの場面に沿った適切な表現で音声再生することができ、ユーザは、上記登場人物の台詞を、上記文章データの場面に沿った表現で楽しむことができる。
【００３９】
本発明に係る電子機器において、上記文章データが、電子メールである場合、上記属性情報読取手段は、上記電子メールのアドレスデータを属性情報として読み取り、上記音声再生手段は、上記アドレスデータに対応付けられた設定情報に応じて上記電子メールの音声再生を行う、ことが好ましい。
【００４０】
上記の構成によれば、上記属性情報読取手段は、上記アドレスデータを属性情報として読み出すことにより、電子メールの相手を特定することができる。したがって、上記電子機器は、上記文章データが電子メールである場合にも、上記アドレスデータ、すなわち、電子メールの相手に応じた音声で上記電子メールを音声再生することができる。これによって、ユーザは、上記電子メールを、当該電子メールの相手に応じた音声で楽しむことができる。
【００４１】
本発明に係る電子機器は、上記文章解析手段において検出された語句、及び、上記テーマ解析手段において解析されたテーマの少なくとも何れかと関連する効果音、音楽、及び画像の少なくとも何れかを、外部ネットワークから取得する外部データ取得手段をさらに備え、上記効果音再生手段は、上記外部データ取得手段において取得された効果音を再生し、上記音楽再生手段は、上記外部データ取得手段において取得された音楽を再生し、上記画像表示手段は、上記外部データ取得手段において取得された画像を表示する、ことが好ましい。
【００４２】
上記の構成によれば、上記外部データ取得手段において、上記文章解析手段において検出された語句、及び、上記テーマ解析手段において解析されたテーマの少なくとも何れかと関連するデータを取得する。これによって、上記電子機器は、文章データの音声再生に適したデータを予め記憶しておかなくとも、上記外部データ取得手段によって文章データの音声再生に適したデータを取得し、出力することができる。
【００４３】
また、本発明に係る電子機器を動作させるためのプログラムであって、コンピュータを上記の各手段として機能させることを特徴とするプログラム、及び、これらのプログラムのうち少なくとも何れかを記録したコンピュータ読み取り可能な記録媒体も本発明の範疇に含まれる。
【００４４】
なお、ある着目した請求項に記載された構成と、その他の請求項に記載された構成との組み合わせが、その着目した請求項で引用された請求項に記載された構成との組み合わせのみに限られることはなく、本発明の目的を達成できる限り、その着目した請求項で引用されていない請求項に記載された構成との組み合わせが可能である。
【発明の効果】
【００４５】
本発明に係る電子機器は、以上のように、文章データの音声再生を行う音声再生手段と、上記文章データに含まれる属性情報を読み取る属性情報読取手段と、を備え、上記音声再生手段は、上記属性情報読取手段によって読み取られた属性情報に対応付けられた設定情報に応じて上記文章データの音声再生を行う、ことを特徴としている。
【００４６】
上記の構成から、上記文章データは、当該文章データに含まれる属性情報に応じて設定された設定情報に基づいて音声再生されるので、上記文章データの属性に合った音声再生を行うことが可能となる。このように、上記文章データの属性に合った音声再生を行うことを可能にすることで、ユーザは、上記文章データの内容を十分に楽しむことができる。
【図面の簡単な説明】
【００４７】
【図１】本発明の一実施形態に係る電子機器の構成を示すブロック図である。
【図２】本発明の一実施形態に係るデータベース記憶部に格納されているデータベースを示すブロック図である。
【図３】本発明の一実施形態に係るデータベース記憶部に格納されている、ジャンルデータベースの一例を示す図である。
【図４】本発明の一実施形態に係るデータベース記憶部に格納されている、人名・性別データベースの一例を示す図である。
【図５】本発明の一実施形態に係るデータベース記憶部に格納されている、音声データベース４１３の一例を示す図である。
【図６】本発明の一実施形態に係るデータベース記憶部に格納されている、テーマデータベースの一例を示す図である。
【図７】本発明の一実施形態に係るデータベース記憶部に格納されている、効果音データベースの一例を示す図である。
【図８】本発明の一実施形態に係るデータベース記憶部に格納されている、音楽データベースの一例を示す図である。
【図９】本発明の一実施形態に係るデータベース記憶部に格納されている、画像データベースの一例を示す図である。
【図１０】本発明の一実施形態に係る電子機器における、音声再生処理の流れを示すフローチャートである。
【図１１】本発明の一実施形態に係る電子機器における、再生音声決定処理の流れを示すフローチャートである。
【図１２】本発明の一実施形態に係る電子機器における、テーマ決定処理の流れを示すフローチャートである。
【図１３】本発明の一実施形態に係る電子機器における、出力時間決定処理の流れを示すフローチャートである。
【図１４】本発明の他の実施形態に係るデータベース記憶部に格納されている、アドレス帳データベースの一例を示す図である。
【図１５】本発明の他の実施形態に係る電子機器における、電子メールの音声再生処理の流れを示すフローチャートである。
【図１６】本発明のさらに他の実施形態に係るデータベース記憶部に格納されている、音声表現データベースの一例を示す図である。
【図１７】本発明のさらに他の実施形態に係るデータベース記憶部に格納されている、略号データベースの一例を示す図である。
【図１８】本発明のさらに他の実施形態に係る電子機器における、音声再生処理の流れを示すフローチャートである。
【図１９】本発明の変形例に係る電子機器における、音声再生処理の流れを示すフローチャートである。
【発明を実施するための形態】
【００４８】
＜実施形態１＞
本発明に係る電子機器の一実施形態について、図１から図１３を参照して説明する。但し、この実施形態に記載されている構成は、特に特定的な記載がない限り、この発明の範囲をそれのみに限定する趣旨ではなく、単なる説明例に過ぎない。
【００４９】
本実施形態に係る電子機器について、図１を参照して説明する。図１は、本実施形態に係る電子機器１の構成を示すブロック図である。
【００５０】
〔電子機器〕
本実施形態に係る電子機器について、図１を参照して説明する。図１は、本実施形態に係る電子機器１の構成を示すブロック図である。
【００５１】
図１に示すように、電子機器１は、属性情報読取部（属性情報読取手段）１０、解析部２０、変換部３０、記憶部４０、音声出力部５１、表示部５２、ユーザ指示取得部５３、機能制御部５４、及び、外部データ取得部（外部データ取得手段）５５を備えている。
【００５２】
〔データベース〕
まず、電子機器１が備える各部の説明に先立って、図１に示す記憶部４０が有するデータベース記憶部４１に格納されているデータベースについて、図２から図９を参照して説明する。図２は、データベース記憶部４１に格納されているデータベースを示すブロック図である。
【００５３】
図２に示すように、データベース記憶部４１には、ジャンルデータベース４１１、人名・性別データベース４１２、音声データベース（設定情報）４１３、テーマデータベース４１４、効果音データベース４１５、音楽データベース４１６、画像データベース４１７、属性情報データベース４１８、及び、ユーザ登録用データベース４１９が格納されている。なお、これらのデータベースは、それぞれ、電子機器１が備える各部において適宜参照される。
【００５４】
（ジャンルデータベース）
まず、電子機器１に入力される文章データのジャンルと、電子機器１において文章データを再生する音声の属性とを関連付けている、ジャンルデータベース４１１について、図３を参照して説明する。図３は、データベース記憶部４１に格納されている、ジャンルデータベース４１１の一例を示す図である。なお、音声の属性とは、図３においては、年齢層及び性別である。
【００５５】
図３に示すように、例えば、文章データのジャンルが「エッセイ」である場合には、文章データを再生する音声の属性として、年齢層に「中年」、性別に「男性」が関連付けられている。また、文章データのジャンルが「冠婚葬祭」である場合には、文章データを再生する音声の属性として、年齢層に「中年」、性別に「女性」が関連付けられている。
【００５６】
また、文章データのジャンルが「昔話・民話」である場合のように、文章データを再生する音声の属性として、年齢層に「高齢」が関連付けられているが、性別には何も関連付けられていないものも存在する。さらに、文章データのジャンルが「ＳＦ」である場合には、文章データを再生する音声の属性として、年齢層、及び、性別の何れも関連付けられていない。
【００５７】
なお、年齢層を、「中年」、「高齢」などとする代わりに、「３０代」、「４０代」などのように、より細かく設定する構成を採用してもよい。
【００５８】
（人名・性別データベース）
次に、名前と、性別とを関連付けている、人名・性別データベース４１２について、図４を参照して説明する。図４（ａ）（ｂ）は、データベース記憶部４１に格納されている、人名・性別データベース４１２の一例を示す図である。図４（ａ）は、予め人名・性別データベース４１２に格納されている、姓及び姓データ、名及び名データ、並びに、性別及び性別データの一例を示す図であり、（ｂ）は、電子機器１に入力される文章データに登場する人物のデータを格納する登場人物データ格納領域の一例を示す図である。
【００５９】
人名・性別データベース４１２には、図４（ａ）に示すように、姓と姓データとが関連付けられている姓データテーブル、名前と名データとが関連付けられている名データテーブル、性別と性別データとが関連づけられている性別データテーブル、及び、（ｂ）に示すように、電子機器１に入力される文章データに登場する人物のデータを格納する登場人物データ格納領域が含まれている。
【００６０】
なお、図４（ａ）（ｂ）に示すように、登場人物データ格納領域には、登場人物の姓、名、性別、及び、年齢が格納されるようになっているが、本発明はこれに限定されるものではなく、例えば、登場人物の愛称なども格納できる構成としてもよい。
【００６１】
（音声データベース）
次に、電子機器１において文章データを再生する際に参照される、音声の種類と音声データとを関連付けている、音声データベース４１３について、図５を参照して説明する。図５は、データベース記憶部４１に格納されている、音声データベース４１３の一例を示す図である。
【００６２】
図５に示すように、音声データベース４１３には、音声の種類と、音声データとが関連づけられている。例えば、音声の種類「男の子」に対し、音声データ「Ｏ0001」が関連付けられており、音声の種類「若い女性」に対し、音声データ「Ｏ0004」が関連付けられている。
【００６３】
（テーマデータベース）
次に、文章データを構成する一部分のテーマと、テーマに関係する語句とを関連づけている、テーマデータベース４１４について、図６を参照して説明する。図６は、データベース記憶部４１に格納されている、テーマデータベース４１４の一例を示す図である。
【００６４】
図６に示すように、テーマデータベース４１４には、テーマの種類として、例えば、「結婚式」、「誕生日」、「雨」及び「波止場」などが設定されており、それぞれ、データ番号「Ｔ0001」、「Ｔ0002」、「Ｔ0003」及び「Ｔ9999」にそれぞれ関連付けられている。また、テーマの種類が「結婚式」である場合には、例えば、関連語句として「式場」、「新郎」、「新婦」及び「ケーキ入刀」などが関連付けられている。また、テーマの種類が「波止場」である場合には、例えば、関連語句として「波止場」、「かもめ」、「霧笛」及び「ポンポン船」などが関連付けられている。
【００６５】
（効果音データベース）
次に、電子機器１において、文章データの音声再生に合わせて効果音を再生する場合に参照される、効果音データベース４１５について、図７を参照して説明する。図７は、データベース記憶部４１に格納されている、効果音データベース４１５の一例を示す図である。
【００６６】
図７に示すように、効果音データベース４１５には、効果音の種類を示す語句と、効果音データとが関連付けられている。例えば、効果音の種類を示す語句「波止場」に対して、効果音データ「Ｋ0001」が関連付けられており、効果音の種類を示す語句「海」に対して、効果音データ「Ｋ0002」が関連付けられている。
【００６７】
（音楽データベース）
次に、電子機器１において、文章データの音声再生に合わせて音楽を再生する場合に参照される、音楽データベース４１６について、図８を参照して説明する。図８は、データベース記憶部４１に格納されている、音楽データベース４１６の一例を示す図である。
【００６８】
図８に示すように、音楽データベース４１６には、音楽の種類と、音楽データと、テーマとが関連付けられている。例えば、音楽の種類「結婚式の歌」に対し、音楽データ「Ｍ0001」及びテーマ「結婚式」が関連付けられており、音楽の種類「誕生日の歌」に対し、音楽データ「Ｍ0002」及びテーマ「誕生日」が関連付けられている。
【００６９】
（画像データベース）
次に、電子機器１において、文章データの音声再生に合わせて画像を表示する場合に参照される、画像データベース４１７について、図９を参照して説明する。図９は、データベース記憶部４１に格納されている、画像データベース４１７の一例を示す図である。
【００７０】
図９に示すように、画像データベース４１７には、画像の種類、種類の詳細（図９において、「詳細」）、及び、画像データとが関連付けられている。例えば、画像の種類が「車」である場合、種類の詳細として「セダン」及び「トラック」が関連付けられている。より詳細には、画像の種類「車１」に対して、種類の詳細「セダン」、及び、画像データ「Ｇ0001」が関連付けられており、画像の種類「車２」に対して、種類の詳細「トラック」、及び、画像データ「Ｇ0002」が関連付けられている。
【００７１】
なお、画像データベース４１７に格納されている画像データとしては、写真、及び、絵などを挙げることができる。
【００７２】
なお、属性情報データベース４１８、ユーザ登録用データベース４１９、及び、記憶部４０が有する語句検出回数記憶部４２については、後述する。
【００７３】
なお、各データベースは、後述するように、ユーザ指示によって、新たに設定することも可能である。
【００７４】
〔電子機器の構成〕
次に、図１に示す電子機器１が備える各部の構成について、説明する。
【００７５】
属性情報読取部１０は、入力された文章データから、文章データのジャンル及び著者などを特定するための属性情報を取得する（読み取る）手段である。属性情報読取部１０は、取得した属性情報に応じて文章データを再生する音声を決定する。また、属性情報読取部１０は、取得した文章データの属性情報を、記憶部４０が有するデータベース記憶部４１に含まれる属性情報データベース４１８に格納する。
【００７６】
属性情報読取部１０は、ジャンルデータベース４１１から、取得した文章データのジャンルに関連付けられている年齢層及び性別を取得し、何れの年齢層であって何れの性別の音声を用いるかを決定する。
【００７７】
また、ジャンルデータベース４１１において、年齢層の情報のみが取得した文章データのジャンルに関連付けられている場合、属性情報読取部１０は、さらに、人名・性別データベース４１２を参照し、取得した著者の名前から、著者の性別を解析する。属性情報読取部１０は、著者の性別を、文章データの音声再生に用いる音声の性別として決定する。
【００７８】
なお、属性情報読取部１０は、ジャンルデータベース４１１において、取得したジャンルに性別が関連付けられておらず、かつ、人名・性別データベース４１２において、取得した著者の名に性別が関連付けられていない場合、及び、ジャンルデータベース４１１において、取得したジャンルに年齢層及び性別の何れも関連付けられていない場合、文章データの音声再生に用いられる音声をデフォルトの音声とすることを決定してもよい。
【００７９】
また、属性情報読取部１０は、入力された文章データを解析部２０に供給する。
【００８０】
（解析部）
解析部２０は、属性情報読取部１０から供給された文章データを解析し、文章データが電子機器１において音声再生される際に用いられる音声、及び、音声再生と共に出力される効果音及び画像などを決定する。解析部２０は、図１に示すように、文章解析部（文章解析手段）２１、登場人物解析部（登場人物解析手段）２２、テーマ解析部（テーマ解析手段）２３、音声解析部（音声再生手段）２４、効果音解析部（効果音再生手段）２５、及び、画像解析部（画像表示手段）２６を備えている。
【００８１】
文章解析部２１は、属性情報読取部１０から供給された文章データを構成する一部分のそれぞれから予め設定された語句を検出する手段である。なお、文章データを構成する一部分としては、一文、段落、節、章、及び、目次などの単位を挙げることができる。以降、本実施形態では、文章データを構成する一部分が章である場合を例に挙げて説明する。
【００８２】
文章解析部２１は、属性情報読取部１０から供給された文章データの章毎に、効果音データベース４１５、音楽データベース４１６及び画像データベース４１７の何れかのデータベースに登録されている語句と一致する語句を検出し、検出した語句を、記憶部４０が備える語句検出回数記憶部４２に、当該語句が検出された回数を示す検出回数と関連づけて格納する。例えば、初めて語句検出回数記憶部４２に格納される語句に関連付けられる検出回数は、「１」である。文章解析部２１は、検出した語句がすでに語句検出回数記憶部４２に格納されている場合、当該語句に関連付けられている検出回数を１だけ増加させる。
【００８３】
また、文章解析部２１は、文章データの１つの章から、効果音データベース４１５、音楽データベース４１６及び画像データベース４１７の何れかのデータベースに登録されている全ての語句を検出すると、１つの章からの語句の検出が完了した旨を示す通知をテーマ解析部２３に通知する。また、文章解析部２１は、文章データを登場人物解析部２２、音声解析部２４、効果音解析部２５、及び、画像解析部２６に供給する。
【００８４】
登場人物解析部２２は、文章解析部２１から供給された文章データから、登場人物の姓名、及び、当該登場人物の性別及び年齢などの属性を解析する手段である。登場人物解析部２２は、文章データから登場人物の姓、及び、名の少なくとも何れか一方（以降、単に登場人物の名前とも呼称する）を検出すると、図３に示す人名・性別データベース４１２に含まれる登場人物データ格納領域に、予め設定されているフラグを示すデータの何れかと関連付けて格納する。例えば、１番目に検出された登場人物の名前は、フラグ「Ｆ0001」と関連付けられて格納され、２番目に検出された登場人物の名前は、フラグ「Ｆ0002」と関連付けられて格納されればよい。
【００８５】
また、登場人物解析部２２は、文章データから登場人物の性別及び年齢の少なくとも一方の属性を検出すると、検出された属性を有する登場人物の名前がすでに登場人物データ格納領域に格納されている場合には、登場人物の名前と属性とを関連づけて登場人物データ格納領域に格納する。また、登場人物解析部２２は、検出した登場人物の属性を有する登場人物の名前が登場人物データ格納領域に格納されていない場合には、登場人物データ格納領域に予め設定されているフラグを示すデータの何れかと登場人物の属性とを関連付けて格納する。
【００８６】
また、登場人物解析部２２は、登場人物の愛称を検出した場合には、検出した愛称を、当該愛称を有する登場人物と関連付けて、データ格納領域に格納する。登場人物の呼び方は、文章データの中で、姓名、姓のみ、名のみ、及び、愛称など、場面によって様々であることが一般的である。従って、登場人物の名前と関連付けて愛称などを格納することにより、登場人物の呼び方が一様でない場合にも、登場人物を一意に特定することができる。
【００８７】
テーマ解析部２３は、語句検出回数記憶部４２を参照し、各文章データを構成する１つの章におけるテーマを決定する手段である。
【００８８】
テーマ解析部２３は、文章解析部２１から、１つの章からの語句の検出が完了した旨を示す通知を取得すると、最も多い検出回数に関連付けられている語句から順にランクを設定する。このとき、文章解析部２１は、例えば、語句検出回数記憶部４２に格納されている語句の全てに対してランクを設定しても良いし、検出回数が最も多い語句から１０番目に多い語句までにのみランクを設定してもよい。また、文章解析部２１は、予め閾値を設定し、検出回数が閾値よりも多い語句に対してランクを設定してもよい。
【００８９】
次に、テーマ解析部２３は、１つの章において最も高いランクが設定された語句と関連付けられているテーマがテーマデータベース４１４に登録されているかを検索し、登録されている場合には、１つの章において最も高いランクが設定された語句と関連付けられたテーマを、当該１つの章のテーマとして決定する。なお、テーマ解析部２３において、最も高いランクが設定された語句と関連づけられているテーマを１つの章のテーマとして決定する構成に代えて、１０番目までのランクが設定された語句と最も多く関連付けられているテーマを当該１つの章のテーマとして決定する構成を採用してもよい。
【００９０】
テーマ解析部２３は、決定したテーマを、効果音解析部２５、及び、画像解析部２６に供給する。
【００９１】
音声解析部２４は、文章解析部２１から供給される文章データから、登場人物の台詞に関する文章（例えば、台詞、及び、登場人物の心理描写など）を検出し、検出した文章を音声再生するために参照される音声データを決定する手段である。具体的には、音声解析部２４は、文章データから台詞を検出し、検出した台詞を発する登場人物を特定し、登場人物解析部２２の検出結果に基づいて、各登場人物の属性に対応付けられた設定情報に応じた音声を再生音声として決定する。
【００９２】
音声解析部２４は、特定した登場人物の名前（又は愛称など）が登場人物データ格納領域に格納されている場合には、格納されている登場人物の名前（又は愛称など）に関連付けられている性別及び年齢を参照し、音声データベース４１３から、台詞の再生に用いる音声を決定する。例えば、台詞を発する登場人物の性別が「男性」であり、年齢が「１０代」である場合、音声データベース４１３において、「男の子」である種類に関連付けられている音声データ「Ｏ0001」を台詞の再生に用いる音声として決定すればよい。
【００９３】
また、音声解析部２４は、文章データから、ナレーションに関する文章を検出し、検出するために参照される音声データを決定する。このとき、ナレーションに用いられる音声として、登場人物の台詞の再生に用いる音声として決定した音声と異なる音声を決定すればよい。また、音声解析部２４は、検出したナレーションに関する文章が、登場人物の何れか（例えば、主人公など）が行うナレーションに関する文章である場合には、ナレーションに用いる音声として、ナレーションを行う登場人物の台詞の再生に用いる音声と同じ音声を決定してもよい。
【００９４】
効果音解析部２５は、文章データの音声再生に併せて再生する効果音、及び、音楽（効果音楽）を決定する手段である。
【００９５】
効果音解析部２５は、再生する効果音を決定する場合、まず、文章データの各章から、効果音データベース４１５に格納されている、効果音の種類を示す語句と一致する語句を検出する。次に、効果音解析部２５は、テーマデータベース４１４を参照し、検出した語句が、検出した章において、テーマ解析部２３にて決定されたテーマと関連付けられている語句であるか否かを判定する。検出した語句がテーマデータベース４１４においてテーマと関連付けられている場合、効果音解析部２５は、効果音データベース４１５において、検出した語句と関連付けられている効果音データを、当該検出した語句の音声再生に合わせて再生する効果音として決定する。
【００９６】
例えば、ある章のテーマが「波止場」であり、当該ある章から「波止場」という語句を検出した場合には、効果音解析部２５は、効果音データベース４１５に格納されている効果音データ「Ｋ0001」を、当該ある章における「波止場」の音声再生に併せて再生する効果音として決定すればよい。
【００９７】
効果音解析部２５は、再生する音楽を決定する場合、まず、テーマ解析部２３にて決定された文章データの各章のテーマが、テーマデータベース４１４における何れのテーマであるかを判定する。効果音解析部２５は、音楽データベース４１６において、ある章におけるテーマと関連付けられている音楽データを、当該ある章の音声再生に合わせて再生する音楽として決定する。
【００９８】
例えば、効果音解析部２５は、ある章のテーマが「結婚式」である場合には、音楽データベース４１６に格納されている、テーマ「結婚式」に関連付けられている音楽データ「Ｍ0001」を、当該ある章に含まれる文章が音声再生される間に再生する音楽として決定すればよい。
【００９９】
なお、効果音解析部２５は、音楽データベース４１６に格納されている音楽データを、ある章に含まれる文章が音声再生される間に再生する音楽として決定する代わりに、ある章において、当該ある章のテーマに関連する語句が音声再生される際に再生する音楽として決定する構成を採用してもよい。
【０１００】
この場合には、効果音解析部２５は、まず、文章データの各章から、音楽データベース４１６に格納されている、音楽の種類を示す語句と一致する語句を検出すればよい。次に、効果音解析部２５は、テーマデータベース４１４を参照し、検出した語句が、検出した章において、テーマ解析部２３にて決定されたテーマと関連付けられている語句であるか否かを判定する。検出した語句がテーマデータベース４１４においてテーマと関連付けられている場合、効果音解析部２５は、音楽データベース４１６において、検出した語句と関連付けられている音楽データを、当該検出した語句の音声再生に合わせて再生する音楽として決定する。
【０１０１】
例えば、効果音解析部２５は、ある章のテーマが「結婚式」である場合、当該ある章から「結婚式の歌」という語句を検出した場合に、音楽データベース４１６に格納されている、音楽の種類「結婚式の歌」に関連付けられている音楽データ「Ｍ0001」を、当該ある章における「結婚式の歌」という語句の音声再生に併せて再生する音楽として決定すればよい。
【０１０２】
画像解析部２６は、文章データの音声再生に併せて表示する画像を決定する手段である。画像解析部２６は、まず、文章データの各章から、画像データベース４１７に格納されている、画像の種類を示す語句と一致する語句を検出する。次に、画像解析部２６は、テーマデータベース４１４を参照し、検出した語句が、検出した章において、テーマ解析部２３にて決定されたテーマと関連付けられている語句であるか否かを判定する。検出した語句がテーマデータベース４１４においてテーマと関連付けられている場合、画像解析部２６は、画像データベース４１７において、検出した語句と関連付けられている画像データを、当該検出した語句の音声再生に合わせて表示する画像として決定する。
【０１０３】
例えば、ある章のテーマが「誕生日」であり、当該ある章から「ケーキ」という語句を検出した場合には、画像解析部２６は、画像データ「Ｇ0003」を、当該ある章における「ケーキ」の音声再生に併せて表示する画像として決定すればよい。
【０１０４】
（変換部）
変換部３０は、解析部２０において決定された音声、効果音、音楽、及び、画像を出力可能に変換し、変換したデータが出力されるように音声出力部５１、及び、表示部５２を駆動する。変換部３０は、図１に示すように、音声変換部（音声再生手段）３１、効果音変換部（効果音再生手段）３２、及び、画像変換部（画像表示手段）３３を備えている。
【０１０５】
音声変換部３１は、文章データが、属性情報読取部１０において決定された音声用いて出力され、文章データに含まれる台詞が、音声解析部２４において決定された登場人物の音声データを用いて出力されるように、音声出力部５１を駆動する。なお、音声解析部２４及び音声変換部３１によって、音声再生手段を構成している。
【０１０６】
効果音変換部３２は、効果音解析部２５において決定された効果音、及び、音楽が、文章データの音声の出力と共に出力されるように、音声出力部５１を駆動する。なお、効果音解析部２５及び効果音変換部３２によって、効果音再生手段及び音楽再生手段を構成している。
【０１０７】
画像変換部３３は、画像解析部２６において決定された画像が、文章データの音声の出力と共に表示されるように、表示部５２を駆動する。なお、画像解析部２６及び画像変換部３３によって、画像表示手段を構成している。
【０１０８】
また、効果音変換部３２及び画像変換部３３は、効果音及び音楽の再生時間、並びに、画像の表示時間を、語句検出回数記憶部４２に格納されている語句の検出回数に応じて設定してもよい。例えば、効果音変換部３２及び画像変換部３３は、検出回数が少ない語句に関連付けられている効果音及び音楽の再生時間、並びに、画像の表示時間を短く設定し、検出回数が多い語句に関連付けられている効果音及び音楽の再生時間、並びに、画像の表示時間を長く設定してもよい。もちろん、効果音変換部３２及び画像変換部３３は、効果音及び音楽の再生時間、並びに、画像の表示時間を、語句検出回数記憶部４２に格納されている語句の検出回数に係わらず、予め定められているデフォルトの長さに設定してもよい。
【０１０９】
（ユーザ指示の取得）
ユーザ指示取得部５３は、電子機器１を利用するユーザからの指示を受け付ける手段である。ユーザ指示取得部５３は、例えば、ユーザがボタン及びパネルなどを押下することによって行う指示を受け付けるキーボード、十字キー、及び、タッチパネルなどで構成されていてもよく、ユーザが発した言葉をユーザ指示として受け付けるマイクなどで構成されていてもよい。
【０１１０】
ユーザ指示取得部５３は、ユーザ指示が、記憶部４０が有するデータベース記憶部４１に含まれるユーザ登録用データベース４１９にデータを登録する登録指示である場合には、取得した登録指示に含まれるデータをユーザ登録用データベース４１９に登録する。なお、ユーザ登録用データベース４１９に登録するデータとは、例えば、文章データが再生される際に用いられる音声、文章データに含まれるある語句が再生される際に併せて再生又は表示される効果音、音楽、及び、画像などを挙げることができる。また、ユーザ登録用データベース４１９に登録された効果音、音楽、及び、画像などは、それぞれ、効果音データベース４１５、音楽データベース４１６、及び、画像データベース４１７のフォーマットに合ったデータに変換され、それぞれのデータベースに自動で登録されてもよい。
【０１１１】
また、ユーザ指示取得部５３は、ユーザ指示が、電子機器１の機能を制御する制御指示である場合には、取得した制御指示を機能制御部５４に供給する。
【０１１２】
ユーザ指示が、例えば、文章データが再生される際に用いられる、書籍のジャンルに応じた音声を登録する登録指示である場合、ユーザ指示取得部５３は、ユーザから指示された書籍のジャンルと、再生に用いられる音声とを関連付けて、ユーザ登録用データベース４１９に格納すればよい。なお、ユーザ指示が、例えば、文章データのジャンルと、再生に用いられる音声の属性（年齢層及び性別など）を登録する登録指示である場合には、ジャンルと、音声の属性とを関連付けてユーザ登録用データベース４１９に格納してもよく、ジャンルデータベース４１１に格納すればよい。
【０１１３】
また、ユーザ指示が、ある語句に関連付けて効果音、音楽、及び、画像などを登録する旨を示す登録指示である場合、ユーザ指示取得部５３は、指示された語句と、効果音、音楽、及び、画像などのデータとを関連付けてユーザ登録用データベース４１９に格納する。なお、ユーザ指示が効果音、音楽、及び、画像などを登録する登録指示である場合には、ユーザ指示取得部５３は、ユーザ登録用データベース４１９に格納する代わりに、指示された語句と効果音とを関連付けて効果音データベース４１５に格納してもよいし、指示された語句と音楽とを関連づけて音楽データベース４１６に格納してもよいし、指示された語句と画像とを関連づけて画像データベース４１７に格納してもよい。
【０１１４】
さらに、ユーザ指示取得部５３は、音声の再生、効果音及び音楽の再生、並びに、画像の表示などに関する設定を示すユーザ指示を受け付けてもよい。
【０１１５】
例えば、ユーザ指示取得部５３は、登録指示によって登録された効果音、音楽、及び、画像などのデータを、予め効果音データベース４１５、音楽データベース４１６、及び、画像データベース４１７などに格納されているデータよりも優先して再生、又は、表示するように設定するユーザ指示を受け付けてもよい。
【０１１６】
また、ユーザ指示取得部５３は、ユーザ指示として、音声再生に合わせて再生又は表示される効果音、音楽、及び、画像の組み合わせを設定する組み合わせ設定指示を受け付けてもよい。具体的には、ユーザ指示取得部５３は、音声再生に合わせて、効果音の再生のみを行う設定、音楽の再生のみを行う設定、画像の再生のみを行う設定、効果音及び音楽の再生を行う設定、効果音の再生及び画像の表示を行う設定、並びに、音楽の再生及び画像の表示を行う設定などを受け付ける。
【０１１７】
また、ユーザ指示取得部５３は、ユーザ指示として、文章解析部２１において検出された語句、及び、テーマ解析部２３において決定されたテーマの少なくとも何れかに関連する効果音、音楽、及び、画像などのデータを、電子機器１に接続されているインターネットなどの外部ネットワークから取得する旨のデータ取得指示を受け付けてもよい。ユーザ指示取得部５３は、データ取得指示を受け付けると、受け付けたデータ取得指示を外部データ取得部５５に通知する。なお、外部データ取得部５５については後述する。
【０１１８】
この場合に、さらに、ユーザ指示取得部５３は、外部ネットワークから取得された効果音、音楽、及び、画像などのデータを、予め効果音データベース４１５、音楽データベース４１６、及び、画像データベース４１７などに格納されているデータよりも優先して再生、又は、表示するように設定するユーザ指示を受け付けてもよい。
【０１１９】
また、ユーザ指示取得部５３は、文章データを音声再生する際の再生速度、及び、再生音量などを設定するユーザ指示を受け付けてもよい。ユーザ指示取得部５３は、受け付けた再生速度、及び、再生音量などのユーザ設定を、ユーザ登録用データベース４１９に格納する。
【０１２０】
音声変換部３１は、文章データの音声再生時に、ユーザ登録用データベース４１９に再生速度、及び、再生音量などのユーザ設定が格納されている場合には、格納されているユーザ設定に基づいて再生速度、及び、再生音量などを決定する。なお、文章データの音声再生時に、ユーザ登録用データベース４１９にユーザ設定が格納されていない場合には、音声変換部３１は、予め設定されているデフォルトの再生速度、及び、再生音量などを用いて音声再生を行えばよい。
【０１２１】
機能制御部５４は、ユーザ指示取得部５３から供給される制御指示であるユーザ指示に基づいて、電子機器１の機能を制御する。例えば、取得した制御指示が、電子機器１の各部への電源の供給を停止（すなわち、電源ＯＦＦ）する制御指示である場合には、機能制御部５４は、電子機器１が備える電源部（不図示）から各部への電源の供給を停止するよう制御する。
【０１２２】
外部データ取得部５５は、外部ネットワークから効果音、音楽、及び、画像などのデータを取得する手段である。具体的には、外部データ取得部５５は、ユーザ指示取得部５３からデータ取得指示が通知されると、外部ネットワークから、文章解析部２１において検出された語句、及び、テーマ解析部２３において決定されたテーマの少なくとも何れかと関連する効果音、音楽、及び、画像などのデータを取得する。外部ネットワークから取得された効果音、音楽、及び、画像などのデータは、ユーザ登録用データベース４１９に格納されてもよし、効果音データベース４１５、音楽データベース４１６、及び、画像データベース４１７にそれぞれ格納されてもよい。
【０１２３】
なお、電子機器１と外部ネットワークとは、例えば、ＬＡＮケーブルなどによって有線接続されていてもよいし、無線ＬＡＮなどによって無線接続されていてもよい。
【０１２４】
〔音声再生に関する処理〕
次に、本実施形態に係る電子機器１における、音声再生に関する処理について、図１０から図１３を参照して説明する。
【０１２５】
（音声再生処理）
まず、本実施形態に係る電子機器１における、音声再生処理について、図１０を参照して説明する。図１０は、本実施形態に係る電子機器１における音声再生処理の流れを示すフローチャートである。
【０１２６】
図１０に示すように、属性情報読取部１０は、文章データが入力されると、文章データからジャンル及び著者を含む属性情報を読み取る（ステップＳ１０１）。
【０１２７】
属性情報読取部１０は、ジャンルデータベース４１１及び人名・性別データベース４１２を参照して、再生音声決定処理を行い、読み取った属性情報から再生に用いられる音声を決定する（ステップＳ１０２）。なお、再生音声決定処理については、図面を替えて後述する。
【０１２８】
また、属性情報読取部１０は、読み取った属性情報を、データベース記憶部４１に含まれる属性情報データベース４１８に格納し（ステップＳ１０３）、入力された文章データを文章解析部２１に供給する。
【０１２９】
文章解析部２１は、属性情報読取部１０から文章データが供給されると、供給された文章データを読み込む（ステップＳ１０４）。
【０１３０】
文章解析部２１は、文章データを読み込むと、読み込んだ文章データを記憶部４０に格納する（ステップＳ１０５）と共に、記憶部４０に格納した文章データを、登場人物解析部２２、テーマ解析部２３、音声解析部２４、効果音解析部２５、及び、画像解析部２６に供給する。
【０１３１】
文章解析部２１から文章データが供給されると、登場人物解析部２２は、供給された文章データから、登場人物の姓、名、愛称、及び、登場人物の年齢及び性別を含む属性を検出する。また、登場人物解析部２２は、検出した登場人物の姓、名、愛称、及び、登場人物の属性をそれぞれ関連づけて、人名・性別データベース４１２に含まれる登場人物データ格納領域に格納する。
【０１３２】
音声解析部２４は、文章解析部２１から供給された文章データから、登場人物の姓、名、及び、愛称の何れかを検出する。音声解析部２４は、音声データベース４１３において、登場人物データ格納領域おいて検出した登場人物の姓、名、及び、愛称の何れかと関連付けられている性別及び年齢を示す音声の種類と関連付けられている音声データを、登場人物の台詞に関する文章データを再生する音声に用いられる音声データとして決定する（ステップＳ１０６）。
【０１３３】
文章解析部２１、及び、テーマ解析部２３は、文章データを構成する章毎のテーマを決定するテーマ決定処理を実行する（ステップＳ１０７）。なお、テーマ決定処理については、図面を代えて後述する。
【０１３４】
効果音解析部２５は、文章解析部２１から文章データが供給されると、文章を構成する各章から検出した語句が、テーマ解析部２３において決定されたテーマとテーマデータベース４１４において関連付けられている場合に、効果音データベース４１５において、検出した語句と関連付けられている効果音データを、音声の再生に併せて再生される効果音として決定する（ステップＳ１０８）。
【０１３５】
また、効果音解析部２５は、文章解析部２１から文章データが供給されると、音楽データベース４１６において、文章を構成する各章に対してテーマ解析部２３が決定したテーマと関連付けられている音楽データを、各章の音声再生に併せて再生される音楽として決定する（ステップＳ１０９）。
【０１３６】
画像解析部２６は、文章解析部２１から文章データが供給されると、文章を構成する各章から検出した語句が、テーマ解析部２３において決定されたテーマとテーマデータベース４１４において関連付けられている場合に、画像データベース４１７において、検出した語句と関連付けられている画像データを、音声の再生に併せて表示される画像として決定する（ステップＳ１１０）。
【０１３７】
次に、解析部２０は、効果音解析部２５、及び、画像解析部２６において、音声の再生に併せて出力される効果音、音楽、及び、画像を決定すると、文章データと共に、音声データ、効果音データ、音楽データ、及び、画像データを、変換部３０に供給する。
【０１３８】
変換部３０は、文章データ、音声データ、効果音データ、音楽データ、及び、画像データが供給されると、効果音、音楽、及び、画像を出力する出力時間を、決定する出力時間決定処理を実行する（ステップＳ１１１）。なお、出力時間決定処理については、図面を替えて後述する。
【０１３９】
効果音、音楽、及び、画像を出力する出力時間が決定すると、変換部３０は、音声変換部３１、効果音変換部３２及び画像変換部３３において、文章データの音声、効果音、音楽及び画像が出力されるように、音声出力部５１、及び、表示部５２を駆動することによって、文章データの音声再生、効果音及び音楽の再生、及び、画像の表示を実行する（ステップＳ１１２）。
【０１４０】
文章解析部２１は、ステップＳ１０５において、読み込んだ文章データを登場人物解析部２２、テーマ解析部２３、音声解析部２４、効果音解析部２５、及び、画像解析部２６に供給する前に、一度、記憶部４０に格納する。これは、文章データを読み込む処理に必要な時間と比較して、文章解析部２１からデータが供給される各解析部２２〜２６における処理に必要な時間が長いため、各解析部２２〜２６の処理速度に応じて文章データを供給する必要があるためである。これによって、文章解析部２１は、各解析部２２〜２６に対し、処理能力を上回る過度な文章データが供給されることを防ぐことができる。
【０１４１】
なお、本実施形態では、ステップＳ１０５において、文章解析部２１が、読み込んだ文章データを記憶部４０に格納した後に各解析部２２〜２６に供給する構成を例に挙げて説明したが、本発明はこれに限定されるものではない。例えば、各解析部２２〜２６が個別にバッファを備えており、文章解析部２１から記憶部４０に格納されることなく供給される文章データが、各解析部２２〜２６が個別に備えるバッファに一時的に格納される構成を採用してもよい。この場合には、各解析部２２〜２６は、個別に備えるバッファに格納されている文章データを適宜読み出して、上述したステップの処理を実行すればよい。
【０１４２】
なお、本実施形態では、ステップＳ１０３において、属性情報読取部１０が、読み取った属性情報のみを属性情報データベース４１８に格納する構成を例に挙げて説明したが、本発明はこれに限定されるものではない。例えば、属性情報読取部１０は、ステップＳ１０３において、読み取った属性情報を、ステップＳ１０２において決定した再生に用いられる音声の情報と関連付けて、データベース記憶部４１に含まれる属性情報データベース４１８に格納してもよい。この場合には、属性情報データベース４１８に、再生に用いられる音声の情報を格納する領域がさらに設けられていればよい。
【０１４３】
なお、本実施形態では、ステップＳ１０９において、効果音解析部２５が、各章の音声再生に併せて再生される音楽を決定する構成を例に挙げて説明したが、本発明はこれに限定されるものではない。例えば、効果音解析部２５は、ステップＳ１０９において、文章解析部２１から供給された文章データを構成する各章から検出した語句が、テーマ解析部２３において決定されたテーマとテーマデータベース４１４において関連付けられている場合に、音楽データベース４１６において、検出した語句と関連付けられている音楽データを、検出した語句の音声再生に併せて再生される音楽として決定してもよい。
【０１４４】
（再生音声決定処理）
次に、再生音声決定処理（図１０における、ステップＳ１０２）について、図１１を参照して説明する。図１１は、本実施形態に係る電子機器１における再生音声決定処理の流れを示すフローチャートである。
【０１４５】
属性情報読取部１０は、文章データからジャンル及び著者を含む属性情報を読み取ると、図１１に示すように、文章データのジャンルから、文章データの再生に用いられる音声の年齢層及び性別の双方が決まるか否かを判定する（ステップＳ２０１）。例えば、属性情報読取部１０は、ジャンルデータベース４１１において、読み取った属性情報に含まれるジャンルに、再生に用いられる音声の年齢層及び性別が関連付けられているか否かを判定することによって、年齢層及び性別の双方が決まるか否かを判定すればよい。
【０１４６】
文章データのジャンルから、文章データの再生に用いられる音声の年齢層及び性別の双方は決まらないと判定すると（ステップＳ２０１においてＮＯ）、属性情報読取部１０は、文章データのジャンル及び著者から、文章データの再生に用いられる音声の年齢層及び性別が決まるか否かを判定する（ステップＳ２０２）。例えば、属性情報読取部１０は、ジャンルデータベース４１１において、読み取った属性情報に含まれるジャンルと年齢層が関連付けられており、かつ、人名・性別データベース４１２において、読み取った属性情報に含まれる著者と性別とが関連付けられているか否かを判定することによって、年齢層及び性別が決まるか否かを判定すればよい。
【０１４７】
文章データのジャンルから文章データの再生に用いられる音声の年齢層及び性別の双方が決まるかと判定した場合（ステップＳ２０１においてＹＥＳ）、又は、文章データのジャンル及び著者から、文章データの再生に用いられる音声の年齢層及び性別が決まると判定した場合（ステップＳ２０２においてＹＥＳ）、属性情報読取部１０は、文章データの再生に用いる音声の年齢層及び性別を決定し、音声データベース４１３において、決定した年齢層及び性別を示す種類に関連付けられた音声データを、文章データの再生に用いる音声の音声データとして決定する（ステップＳ２０３）。
【０１４８】
また、文章データのジャンル及び著者から、文章データの再生に用いられる音声の年齢層及び性別が決まらないと判定した場合（ステップＳ２０２においてＮＯ）、属性情報読取部１０は、デフォルトの音声データを、文章データの再生に用いる音声として決定する（ステップＳ２０４）。
【０１４９】
（テーマ決定処理）
次に、テーマ決定処理（図１０における、ステップＳ１０７）について、図１２を参照して説明する。図１２は、本実施形態に係る電子機器１におけるテーマ決定処理の流れを示すフローチャートである。
【０１５０】
図１２に示すように、文章解析部２１は、文章データを構成するある章に、効果音データベース４１５、音楽データベース４１６及び画像データベース４１７の何れかのデータベースに登録されている語句と一致する語句があるか否かを判定する（ステップＳ３０１）。
【０１５１】
ある章に、何れかのデータベースに登録されている語句と一致する語句があると判定すると（ステップＳ３０１においてＹＥＳ）、文章解析部２１は、ある章から、何れかのデータベースに登録されている語句と一致する語句を検出する。また、文章解析部２１は、検出した語句を、検出した語句の検出回数と関連づけて、語句検出回数記憶部４２に格納する（ステップＳ３０２）。例えば、各語句が始めて検出されたときに関連付けられる検出回数は、１であればよい。
【０１５２】
文章解析部２１は、同一の語句を検出すると、語句検出回数記憶部４２に格納されている、検出した語句と関連付けられている検出回数の値を、１だけ増加させる（ステップＳ３０３）。また、文章解析部２１は、検出した語句の語句検出回数記憶部４２へ語句及び検出回数を格納すると、テーマ解析部２３に、語句及び検出回数を格納した旨を示す信号を通知する。
【０１５３】
テーマ解析部２３は、文章解析部２１から、語句及び検出回数を格納した旨を示す信号を取得すると、語句検出回数記憶部４２を参照し、章において、語句に関連付けられている検出回数が、予め設定されている閾値よりも多い語句が存在するか否かを判定する（ステップＳ３０４）。
【０１５４】
閾値よりも多い検出回数の語句が存在すると判定すると（ステップＳ３０４においてＹＥＳ）、テーマ解析部２３は、閾値よりも多い検出回数の語句のうち、最も検出回数の多い語句から順に、ランクを設定する（ステップＳ３０５）。
【０１５５】
テーマ解析部２３は、ある章において、ランクが設定された語句と関連付けられているテーマが、テーマデータベース４１４に登録されているか否かを、最も高いランクが設定された語句から順に判定する（ステップＳ３０６）。
【０１５６】
テーマ解析部２３は、ランクが設定された語句と関連付けられているテーマが、テーマデータベース４１４に登録されている場合（ステップＳ３０６にいてＹＥＳ）、テーマデータベース４１４において、ランクが設定された語句と関連付けられているテーマのうち、最も高いランクが設定された語句と関連付けられているテーマを、ある章のテーマとして決定する（ステップＳ３０７）。
【０１５７】
テーマ解析部２３は、ある章のテーマを決定した後、全ての章のテーマを決定したか否かを判定する（ステップＳ３０８）。
【０１５８】
文章解析部２１において、ある章に、何れかのデータベースに登録されている語句と一致する語句がないと判定した場合（ステップＳ３０１においてＮＯ）、テーマ解析部２３において、閾値よりも多い検出回数の語句が存在しないと判定した場合（ステップＳ３０４においてＮＯ）、ランクが設定された語句と関連付けられているテーマが、テーマデータベース４１４に登録されていない場合（ステップＳ３０６にいてＮＯ）、及び、全ての章のテーマを決定が決定されていない場合（ステップＳ３０８においてＮＯ）、文章解析部２１及びテーマ解析部２３は、次の章に移り（ステップＳ３０９）、上述したステップＳ３０１からＳ３０８までの処理を繰り返す。
【０１５９】
全ての章のテーマを決定すると（ステップＳ３０８においてＹＥＳ）、テーマ解析部２３は、テーマ決定処理を終了する。
【０１６０】
（出力時間決定処理）
次に、出力時間決定処理（図１０における、ステップＳ１１１）について、図１３を参照して説明する。図１３は、本実施形態に係る電子機器１における出力時間決定処理の流れを示すフローチャートである。
【０１６１】
図１３に示すように、変換部３０は、文章データの再生と併せて出力される効果音、音楽及び画像が決定すると、それぞれのデータ（効果音データ、音楽データ及び画像データ）に関連付けられている語句の検出回数を、語句検出回数記憶部４２から取得する（ステップＳ４０１）。
【０１６２】
変換部３０における効果音変換部３２及び画像変換部３３は、効果音データ、音楽データ及び画像データのそれぞれに関連付けられている語句の検出回数を取得すると、効果音、音楽及び画像の出力時間を、取得した語句の検出回数に応じて決定する（ステップＳ４０２）。
【０１６３】
検出回数に応じた出力時間として、例えば、効果音変換部３２は、効果音データベースにおいて効果音データと関連付けられている語句の検出回数が、２回である場合には、効果音データが再生される時間を、１０秒とすればよい。効果音変換部３２は、音楽データベースにおいて音楽データと関連付けられている語句の検出回数が、５回である場合には、音楽データが再生される時間を、２０秒とすればよい。また、画像変換部３３は、画像データベースにおいて画像データと関連づけられている語句の検出回数が７回である場合には、画像データが表示される時間を、３０秒とすればよい。
【０１６４】
なお、本実施形態では、文章データの音声再生と併せて、効果音、音楽、及び、画像を出力する構成を例に挙げて説明したが、本発明はこれに限定されるものではない。例えば、文章データの音声再生と併せて、効果音、音楽、及び、画像の少なくとも何れか１つを出力してもよい。この場合には、上述したように、ユーザ指示取得部５３を介して組み合わせ設定指示を取得すればよい。
【０１６５】
なお、本実施形態では、各データベースに予め格納されている効果音、音楽、及び、画像のデータを参照することによって、文章データの音声再生と併せて再生又は表示される効果音、音楽、及び、画像を決定する構成を例に挙げて説明したが、本発明はこれに限定されるものではない。例えば、上述したように、ユーザ指示取得部５３を介してデータ取得指示を受け付けた場合に、電子機器１は、外部データ取得部から取得した効果音、音楽、及び、画像のデータを、文章データの音声再生と併せて再生又は表示してもよい。
【０１６６】
また、外部データ取得部が、文章解析部２１において検出された語句、及び、テーマ解析部２３において決定されたテーマの少なくとも何れかに関連する効果音、音楽及び画像などのデータを、ユーザからのデータ取得指示によらずに外部ネットワークから取得する構成を採用してもよい。この場合には、外部データ取得部５５は、取得した効果音、音楽及び画像などのデータをそれぞれ、効果音データベース４１５、音楽データベース４１６、及び、画像データベース４１７に格納すればよい。効果音解析部２５、及び、画像解析部２６は、効果音データベース４１５、音楽データベース４１６、及び、画像データベース４１７にそれぞれ格納されている、外部ネットワークから取得した効果音、音楽及び画像のデータを、文章データの再生と併せて再生又は表示する効果音、音楽及び画像として決定する。
【０１６７】
これによって、電子機器１は、文章データの音声再生に適したデータを予めデータベース記憶部４１が備える各データベースに格納しておかなくとも、外部データ取得部５５によって文章データの音声再生に適したデータを取得し、出力することができる。
【０１６８】
上述した構成によって、文章データは、当該文章データに含まれる属性情報（文章データのジャンル、及び、著者）に応じて設定された設定情報に基づいて音声再生されるので、文章データの属性に合った音声再生を行うことが可能となる。これによって、上記電子機器は、上記文章データが、当該文章データの属性に合わない音声で再生されてしまうことを防ぐことができる。
【０１６９】
このように、上記文章データの属性に合った音声再生を行うことを可能にすることで、ユーザは、上記文章データを十分に楽しむことができる。
【０１７０】
また、電子機器１は、登場人物解析部２２において解析した登場人物毎に音声を変え、それぞれの登場人物の属性に合った音声で、台詞などの登場人物に関係した文章を再生することができる。
【０１７１】
このように、登場人物の属性に合った音声再生を行うことを可能にすることで、ユーザは、文章データを、１つの音声で再生される場合よりも、より細やかな表現、及び、臨場感のある音声再生を聞くことができるため、文章データをさらに楽しむことができる。
【０１７２】
また、効果音解析部２５及び効果音変換部３２、並びに、画像解析部２６及び画像変換部３３は、テーマに関係ない語句が検出された場合に、当該テーマに関係ない語句に応じた効果音及び画像を出力しないため、ユーザに違和感を与えてしまうことを低減することができる。したがって、ユーザは、文章データが再生される音声と併せて、適切な効果音及び画像などを楽しむことができる。
【０１７３】
＜実施形態２＞
次に、本発明の他の実施形態について、以下に説明する。なお、説明の便宜上、実施形態１に係る構成要素と同様の機能を有する構成要素には同一の番号を付し、その説明を省略する。本実施形態では、主に、実施形態１との相違点について説明するものとする。
【０１７４】
〔電子機器〕
本実施形態に係る電子機器１が備える属性情報読取部１０は、さらに、文章データが、電子メールであるか否かを判定する機能を備えている。
【０１７５】
属性情報読取部１０は、文章データが電子メールである場合、文章データの属性情報として、電子メールの送信元のアドレスを取得し、取得した属性情報に応じて電子メールを再生する音声を決定する。属性情報読取部１０は、取得した文章データの属性情報を、記憶部４０が有するデータベース記憶部４１に含まれる属性情報データベース４１８に格納する。
【０１７６】
属性情報読取部１０は、後述するアドレス帳データベースから、電子メールのアドレスに関連付けられている送信元相手の音声データを取得し、取得した音声データを、電子メールの再生に用いられる音声として決定する。
【０１７７】
また、属性情報読取部１０は、アドレス帳データベースにおいて、電子メールのアドレスに送信元の相手の音声データが関連づけられていない場合、アドレス帳データベースにおいて、電子メールのアドレスに関連付けられている送信元相手の名前、年齢、及び、性別などを参照し、図５に示す音声データベースから、電子メールの再生に用いられる音声として決定する。
【０１７８】
なお、属性情報読取部１０は、アドレス帳データベースにおいて、電子メールのアドレスと、送信元相手の音声データ、年齢、及び、性別の何れも関連づけられていない場合、電子メールの再生に用いられる音声をデフォルトの音声とすることを決定してもよい。
【０１７９】
〔データベース〕
本実施形態に係る電子機器１において、記憶部４０が有するデータベース記憶部４１は、アドレス帳データベースを含んでいる。アドレス帳データベースについて、図１４を参照して説明する。図１４は、本実施形態に係るデータベース記憶部４１に格納されている、アドレス帳データベースの一例を示す図である。
【０１８０】
（アドレス帳データベース）
アドレス帳データベースは、文章データが電子メールである場合に参照されるデータベースである。
【０１８１】
図１４に示すように、アドレス帳データベースには、電子メールの送信元相手の名前、アドレス、年齢、性別、音声データ、及び、送信元相手を示すデータ、がそれぞれ関連づけられている。
【０１８２】
例えば、アドレス帳データベースでは、送信元相手の名前「上田慎也」に対して、送信元相手を示すデータ「0001」、アドレス「disec@tokkyo.com」、年齢「３２」、性別「男性」、及び、音声データ「Ｏ0001」がそれぞれ関連付けられている。
【０１８３】
アドレス帳データベースに格納されている音声データは、例えば、送信元相手の音声であって、例えば、送信相手の音声を、五十音、数字、アルファベットなど、個別に録音して格納された音声データであってもよい。
【０１８４】
〔音声再生処理〕
次に、文章データが電子メールである場合の、音声再生処理について、図１５を参照して説明する。図１５は、本実施形態に係る電子機器１における、電子メールの音声再生処理の流れを示すフローチャートである。
【０１８５】
属性情報読取部１０は、文章データが入力されると、まず、文章データが電子メールであるか否かを判定し、文章データが電子メールである場合に、図１５に示す、電子メールの音声決定処理を実行する。
【０１８６】
（電子メールの音声決定処理）
属性情報読取部１０は、文章データが電子メールである場合、まず、電子メールからアドレスを属性情報として取得する。
【０１８７】
属性情報読取部１０は、図１５に示すように、電子メールからアドレスを取得すると、アドレス帳データベースに、取得したアドレスが登録されているか否かを判定する（ステップＳ５０１）。
【０１８８】
アドレス帳データベースに、取得したアドレスが登録されていないと判定した場合（ステップＳ５０１においてＮＯ）、属性情報読取部１０は、電子メールの再生に用いられる音声を、デフォルトの音声として決定する（ステップＳ５０２）。
【０１８９】
アドレス帳データベースに、取得したアドレスが登録されていると判定した場合（ステップＳ５０１においてＹＥＳ）、属性情報読取部１０は、取得したアドレスに、音声データが関連付けられているか否かを判定する（ステップＳ５０３）。
【０１９０】
アドレス帳データベースにおいて、取得したアドレスに音声データが関連付けられていると判定した場合（ステップＳ５０３においてＹＥＳ）、属性情報読取部１０は、アドレスに関連付けられている音声データを、電子メールの再生に用いられる音声として決定する（ステップＳ５０４）。
【０１９１】
アドレス帳データベースに、取得したアドレスに音声データが関連付けられていないと判定した場合（ステップＳ５０３においてＮＯ）、属性情報読取部１０は、アドレスに関連付けられている送信元相手の年齢及び性別を参照し、図５に示す音声データベースにおいて、送信元相手の年齢及び性別が示す音声の種類と対応付けられている音声データを、電子メールの再生に用いられる音声として決定し（ステップＳ５０５）、電子メールの音声決定処理を終了する。
【０１９２】
また、電子メールの音声決定処理が終了すると、変換部３０は、音声変換部３１、効果音変換部３２及び画像変換部３３において、文章データの音声、効果音、音楽及び画像が出力されるように、音声出力部５１、及び、表示部５２を駆動することによって、文章データの音声再生、効果音及び音楽の再生、及び、画像の表示を実行する。
【０１９３】
したがって、電子機器１は、上記文章データが電子メールである場合にも、アドレスデータ、すなわち、電子メールの送信元相手に応じた適切な音声で電子メールを音声再生することができる。これによって、ユーザは、電子メールを、当該電子メールの送信元相手に応じた適切な音声で楽しむことができる。
【０１９４】
＜実施形態３＞
次に、本発明の他の実施形態について、以下に説明する。なお、説明の便宜上、実施形態１に係る構成要素と同様の機能を有する構成要素には同一の番号を付し、その説明を省略する。本実施形態では、主に、実施形態１との相違点について説明するものとする。
【０１９５】
〔データベース〕
まず、電子機器１が備える各部の説明に先立って、本実施形態に係る記憶部４０が有するデータベース記憶部４１に格納されているデータベースについて、以下に説明する。本実施形態に係る電子機器１において、記憶部４０が有するデータベース記憶部４１は、さらに、音声表現データベース、及び、略号データベースを含んでいる。
【０１９６】
（音声表現データベース）
まず、電子機器１において再生する、文章データの再生に用いられる音声の表現を決定する際に参照される、音声表現データベースについて、図１６を参照して説明する。図１６は、データベース記憶部４１に格納されている、音声表現データベースの一例を示す図である。
【０１９７】
図１６に示すように、音声表現データベースには、文章データにおける台詞の表現（すなわち、音声表現）を示す語句、音声を再生する際のパラメータ（図１６においては、速度、音量、及び、Ｗａｉｔ）、及び、表現データが関連付けられている。なお、Ｗａｉｔとは、直前の台詞や文章の音声再生が終了した時点から、次の台詞の音声が再生されるまでの時間である。
【０１９８】
例えば、表現データ「Ｋ0001」と関連付けられている、音声表現を示す語句「ゆっくりと」に対して、パラメータとして速度「−３」、音量「０」、及び、Ｗａｉｔ「０」が関連付けられている。また、表現データ「Ｋ0002」と関連付けられている、音声表現を示す語句「大きな声で」に対して、パラメータとして速度「０」、音量「＋３」、及び、Ｗａｉｔ「０」が関連付けられている。また、表現データ「Ｋ9998」と関連付けられている、音声表現を示す語句「蚊の鳴くような声」に対して、パラメータとして速度「０」、音量「−１０」、及び、Ｗａｉｔ「５秒」が関連付けられている。
【０１９９】
例えば、音声表現を示す語句「蚊の鳴くような声」を表現するように再生される台詞は、Ｗａｉｔが「５秒」であるので、当該台詞の直前の文章が再生された後、５秒後に再生される。また、「蚊の鳴くような声」を表現するように再生される台詞は、速度が「０」であるので、デフォルトの音声の再生速度と同じ速度で再生され、音量が「−１０」であるので、デフォルトの音声の再生音量が「１５」である場合、１０だけ小さな音量「５」の音量で再生される。
【０２００】
また、後述する技術記号「＊＊＊」には、パラメータとして速度「０」、音量「０」、及び、Ｗａｉｔ「１０秒」が関連付けられている。
【０２０１】
（略号データベース）
次に、電子機器１において、文章データを技術記号又は略号に従って再生する場合に参照される、略号データベースについて、図１７を参照して説明する。図１７は、データベース記憶部４１に格納されている、略号データベースの一例を示す図である。
【０２０２】
図１７に示すように、略号データベースには、劇文学などにおいて使用される略号（又は技術記号）と、略号データと、音声、効果音及び音楽を再生する際に参照すべき参照先のデータベースとが関連付けられている。
【０２０３】
例えば、後に続く文章が「ナレーション」であることを示す略号「Ｎ」には、データ「ｒ001」、及び、略号「Ｎ」に続く文章データの再生に用いる音声を決定するために参照されるデータベース「音声データベース」がそれぞれ関連付けられている。
【０２０４】
また、後に続く文章と同時に音楽を流すことを指示する略号「ＢＧＭ」には、データ「ｒ003」、及び、再生する音楽を決定するために参照されるデータベース「音楽データベース」がそれぞれ関連付けられている。
【０２０５】
なお、図１７に示す略号「Ｍ」は、後に続く文章が「モノローグ」であることを示し、略号「ＳＥ」は後に続く文章と同時に効果音を流すことを指示している。
【０２０６】
また、図１７に示す技術記号「＊＊＊」は、前後の文章が示す場面の間に、時間経過があることを示している。技術記号「＊＊＊」は、例えば、ある文章が示す場面が、当該ある文章の直前の文章が示す場面の１時間後などである場合に用いられる。なお、前後の文章が示す場面の間に大きな時間経過があるには、技術記号「＊＊＊」が２行並べられることもある。
【０２０７】
図１７に示す略号データベースにおいて、技術記号「＊＊＊」には、データ「ｒ999」、及び、技術記号「＊＊＊」に続く文章データを再生するために参照されるデータベース「音声表現データベース」が関連づけられている。図１６を参照して上述したように、技術記号「＊＊＊」に続く文章データを再生するために参照される音声表現データベースには、Ｗａｉｔ「１０秒」が関連付けられている。すなわち、技術記号「＊＊＊」の直前の文章データが再生された後、１０秒後に、技術記号「＊＊＊」の直後の文章データが再生されることになる。
【０２０８】
〔電子機器〕
本実施形態に係る電子機器１が備える属性情報読取部１０は、さらに、文章データが、劇文学であるか否かを判定する機能を備えている。例えば、属性情報読取部１０は、文章データのジャンルが劇文学である場合に、文章データを劇文学と判定すればよい。なお、劇文学とは、例えば、戯曲、及び、脚本などである。
【０２０９】
属性情報読取部１０は、文章データが劇文学である場合、文章データの属性情報として劇文学の著者を取得し、取得した属性情報に応じて劇文学を再生する音声を決定する。属性情報読取部１０は、取得した文章データの属性情報を、記憶部４０が有するデータベース記憶部４１に含まれる属性情報データベース４１８に格納する。
【０２１０】
属性情報読取部１０は、まず、ジャンルデータベース４１１から、文章データのジャンル「劇文学」に関連付けられている年齢層を取得する。次に、属性情報読取部１０は、人名・性別データベース４１２から、取得した文章データの著者の名前に関連付けられている性別を取得する。
【０２１１】
属性情報読取部１０は、音声データベース４１３から、取得した年齢層、及び、性別を示す音声の種類に関連付けられている音声データを、劇文学を再生する音声として用いられる音声として決定する。
【０２１２】
文章解析部２１は、文章データに含まれる「柱書き」及び「ト書き」を検出する。文章解析部２１は、柱書き又はト書きの何れかを検出すると、文章データに柱書き又はト書きが含まれている旨を画像解析部２６に通知する。また、文章解析部２１は、文章データに含まれる柱書き及びト書きがナレーションとして再生されるよう、音声データベース４１３などを参照して、再生に用いられる音声を決定する。
【０２１３】
ここで、柱書きとは、劇文学においては、シーンの最初に書かれ、その場所と時間を示している文章のことを指すのが一般的である。なお、柱書きの前には、１行の空白があり、柱書きの始まりには「○」が付されている。
【０２１４】
また、ト書きとは、劇文学においては、登場人物の動作、照明、及び、効果音などの演出について、大まかな指示を記述する文章のことを指すのが一般的である。
【０２１５】
また、文章解析部２１は、文章データに含まれる台詞に対し、登場人物データ格納部に格納されている、ある登場人物の台詞を文章データの始めから順に特定するための連番のフラグを設定する。
【０２１６】
また、文章解析部２１は、文章データから、音声表現データベースに格納されている音声表現を示す語句と一致する語句を検出し、音声解析部２４に供給する。
【０２１７】
また、文章解析部２１は、文章データから、略号データベースに格納されている技術記号又は略号と一致する語句を検出し、音声解析部２４、効果音解析部２５、及び、画像解析部２６に通知する。
【０２１８】
登場人物解析部２２は、劇文学である文章データに含まれる登場人物表から登場人物の姓、名、愛称、年齢、及び、性別などを読出し、登場人物データ格納部に格納する。登場人物解析部２２は、登場人物データ格納領域に格納されている各登場人物に対し、図４（ｂ）に示すように、登場人物を特定するためのフラグ（例えば、「Ｆ0001」、「Ｆ0002」など）を設定し、ある登場人物の台詞を文章データの始めから順に特定するために、フラグに連番を設定する（例えば、「Ｆ0001-1」、「Ｆ0001-2」、…、「Ｆ0001-n」（ｎは１以上の整数））を設定する（ステップＳ６０５）。
【０２１９】
また、登場人物解析部２２は、登場人物表に含まれていない登場人物については、文章データから検出した際に、適宜登録人物データ格納領域に格納する。
【０２２０】
音声解析部２４は、音声表現データベースを参照し、文章データの再生の速度、音量及び、Ｗａｉｔを決定する。
【０２２１】
例えば、音声解析部２４は、ｍ番目の文に音声表現を示す「ゆっくりと」という語句が含まれている場合には、音声表現データベースにおいて「ゆっくりと」に関連付けられている速度のパラメータ「−３」を読出し、「ゆっくりと」と対応する台詞の再生速度を、デフォルトの再生速度よりもゆっくりと再生するよう決定する。
【０２２２】
画像解析部２６は、文章解析部２１から、柱書き又はト書きの何れかを検出した旨の通知を取得すると、柱書き又はト書きの再生に併せて、再生される柱書き又はト書きが表示部５２に表示されるよう動作する。具体的には、画像解析部２６は、機能制御部５４に、表示部５２に電源が供給されているか（ＯＮ状態であるか）を判定させ、供給されていない状態（電源ＯＦＦ状態）である場合には、柱書き又はト書きが表示部５２に表示される時間だけ表示部５２に電源が供給されるよう、機能制御部５４に通知する。
【０２２３】
機能制御部５４は、画像解析部２６から供給される通知に基づき、表示部５２のＯＮ状態とＯＦＦ状態とを切り替える。
【０２２４】
〔音声再生処理〕
次に、文章データが劇文学である場合の音声再生処理について、図１８を参照して説明する。図１８は、本実施形態に係る電子機器１における、劇文学の音声再生処理の流れを示すフローチャートである。
【０２２５】
属性情報読取部１０は、文章データが入力されると、まず、文章データの属性情報を読み取る。電子機器１は、属性情報読取部１０において読み取った属性情報に含まれる文章データのジャンルが劇文学である場合、図１８に示す劇文学の音声決定処理を実行する。
【０２２６】
（劇文学の音声決定処理）
解析部２０は、文章データが供給されると、文章解析部２１において、文章データを構成する一文毎に登場人物表であるか否かを判定する（ステップＳ６０１）。ここでは、文章データを構成する、ｍ番目（ｍは１以上の整数）の文についての処理を例に挙げて説明する。
【０２２７】
文章解析部２１においてｍ番目の文が登場人物表であると判定された場合（ステップＳ６０１においてＹＥＳ）、登場人物解析部２２は、登場人物表を読み出し、登場人物表に含まれている、登場人物の姓、名、愛称、年齢、及び、性別などをそれぞれ関連付けて、人名・性別データベース４１２に含まれる登場人物データ格納領域に格納する（ステップＳ６０２）。
【０２２８】
登場人物データ格納領域に登場人物の姓、名、愛称、年齢、及び、性別などを格納すると、登場人物解析部２２は、音声データベースから、登場人物データ格納領域に格納されている各登場人物の年齢及び性別を示す音声の種類に関連付けられている音声データを参照することにより、各登場人物の音声を選択する（ステップＳ６０３）。
【０２２９】
また、登場人物解析部２２は、音声データベースから選択したそれぞれの音声を、各登場人物の音声として決定する（ステップＳ６０４）。
【０２３０】
登場人物解析部２２は、登場人物データ格納領域に格納されている各登場人物に対し、登場人物を特定するためのフラグを設定し、さらに、フラグに連番を設定する（ステップＳ６０５）。
【０２３１】
登場人物解析部２２は、設定した連番のフラグを、登場人物データ格納領域に格納する（ステップＳ６０６）。
【０２３２】
文章解析部２１においてある一文が登場人物表でないと判定された場合（ステップＳ６０１においてＹＥＳ）、文章解析部２１は、ｍ番目の文が柱書き又はト書であるか否かを判定する（ステップＳ６０７）。
【０２３３】
ｍ番目の文が柱書き又はト書きであると判定した場合（ステップＳ６０７においてＹＥＳ）、文章解析部２１は、ｍ番目の文がナレーションとして再生されるよう、図１１に示す、属性情報読取部１０において実行する再生音声決定処理と同様の処理を実行する（ステップＳ６０８）。
【０２３４】
また、ｍ番目の文が柱書き又はト書きであると判定した場合（ステップＳ６０７においてＹＥＳ）、文章解析部２１は、ｍ番目の文が柱書き又はト書きである旨を画像解析部２６に通知する。画像解析部２６は、表示部５２がＯＮ状態であるか否かを判定するよう、機能制御部５４に通知する。機能制御部５４は、画像解析部２６から取得した通知に基づき、表示部５２がＯＮ状態であるか否かを判定する（ステップＳ６０９）。
【０２３５】
機能制御部５４において表示部５２がＯＦＦ状態であると判定された場合（ステップＳ６０９においてＮＯ）、画像解析部２６は、柱書き又はト書きであるｍ番目の文及び画像を表示する間のみ表示部５２をＯＮ状態にする旨の信号を、機能制御部５４に通知する。機能制御部５４は、画像解析部２６から供給された通知に基づき、柱書き又はト書であるｍ番目の文及び画像を表示する間のみ表示部５２をＯＮ状態にする（ステップＳ６１０）。
【０２３６】
機能制御部５４において表示部５２がＯＮ状態であると判定された場合（ステップＳ６０９においてＹＥＳ）、テーマ解析部２３において、図１２に示すテーマ決定処理を実行する（ステップＳ６１１）。
【０２３７】
また、ｍ番目の文が柱書き又はト書きでないと判定した場合（ステップＳ６０７においてＹＥＳ）、文章解析部２１は、ｍ番目の文が台詞であるか否かを判定する（ステップＳ６１２）。
【０２３８】
ｍ番目の文が台詞であると判定した場合（ステップＳ６１２においてＹＥＳ）、文章解析部２１は、ｍ番目の文の台詞に、（ｍ−１）番目までの文章に設定されている同一の登場人物の台詞と同一のフラグを設定する（ステップＳ６１３）。
【０２３９】
また、文章解析部２１は、同一登場人物の台詞に設定された同一のフラグに、さらに連番を設定し（ステップＳ６１４）、フラグを設定したｍ番目の文を、登場人物解析部２２及び音声解析部２４に供給する。
【０２４０】
登場人物解析部２２は、文章解析部２１から供給されるｍ番目の文に設定されているフラグを、登場人物の姓、名、愛称、年齢、及び、性別とそれぞれ関連付けて登場人物データ格納領域に格納する（ステップＳ６１５）。
【０２４１】
ｍ番目の文が台詞でないと判定した場合（ステップＳ６１２においてＮＯ）、文章解析部２１は、ｍ番目の文に、音声表現データベースに格納されている、音声表現を示す語句と一致する語句があるか否かを判定する（ステップＳ６１６）。
【０２４２】
文章解析部２１において、音声表現データベースに格納されている音声表現を示す語句と一致する語句があると判定された場合（ステップＳ６１６においてＹＥＳ）、音声解析部２４は、音声表現データベースに格納されている音声表現を示す語句と一致する語句と、ｍ番目の文と近い文章に含まれる、何れの登場人物の何れの台詞とが対応しているかを判定し、語句と、語句と対応している台詞とを関連づける（ステップＳ６１７）。
【０２４３】
音声表現データベースに格納されている、音声表現を示す語句と一致する語句がないと判定した場合（ステップＳ６１６においてＮＯ）、文章解析部２１は、ｍ番目の文に技術記号又は略号が含まれているか否かを判定する（ステップＳ６１８）。
【０２４４】
ｍ番目の文が登場人物表であり、登場人物表を登場人物データ格納領域に格納された場合（ステップＳ６０６）、ｍ番目の文が柱書き又はト書きであり、表示部５２をＯＮ状態にした場合（ステップＳ６１０）、テーマ決定処理が行われた場合（ステップＳ６１１）、及び、ｍ番目の文が音声表現を示す語句を含み、語句と対応する台詞とが関連づけられた場合（ステップＳ６１７）、ｍ番目の文は、音声解析部２４、効果音解析部２５、及び、画像解析部２６に供給される。
【０２４５】
また、ｍ番目の文に技術記号又は略号が含まれている場合（ステップＳ６１８においてＹＥＳ）には、文章解析部２１は、技術記号又は略号に応じて、音声解析部２４、効果音解析部２５、及び、画像解析部２６の何れかに対し、文章データを供給する。例えば、文章解析部２１は、音声再生に関する技術記号又は略号（例えば、ナレーションを示す「Ｎ」、モノローグを示す「Ｍ」など）である場合には、音声解析部２４に、ｍ番目の文を供給する。
【０２４６】
効果音解析部２５は、ｍ番目の文が供給されると、略号データベースにおいて、ｍ番目の文に含まれる技術記号又は略号と関連付けられているデータベースを参照し、参照したデータベースから音声の再生に併せて再生される効果音を決定する。また、効果音解析部２５は、文章解析部２１からｍ番目の文が供給されると、ｍ番目の文から検出した語句が、テーマ決定処理において決定されたテーマとテーマデータベース４１４において関連付けられている場合に、効果音データベース４１５において、検出した語句と関連付けられている効果音データを、音声の再生に併せて再生される効果音として決定する（ステップＳ６１９）。
【０２４７】
また、効果音解析部２５は、ｍ番目の文が供給されると、略号データベースにおいて、ｍ番目の文に含まれる技術記号又は略号と関連付けられているデータベースを参照し、参照したデータベースから音声の再生に併せて再生される音楽を決定する。また、効果音解析部２５は、文章解析部２１からｍ番目の文が供給されると、ｍ番目の文から検出した語句が、テーマ決定処理において決定されたテーマとテーマデータベース４１４において関連付けられている場合に、音楽データベース４１６において、検出した語句と関連付けられている音楽データを、音声の再生に併せて再生される音楽として決定する（ステップＳ６２０）。
【０２４８】
画像解析部２６は、ｍ番目の文が供給されると、略号データベースにおいて、ｍ番目の文に含まれる技術記号又は略号と関連付けられているデータベースを参照し、参照したデータベースから音声の再生に併せて表示される画像を決定する。また、画像解析部２６は、文章解析部２１からｍ番目の文が供給されると、ｍ番目の文から検出した語句が、テーマ決定処理において決定されたテーマとテーマデータベース４１４において関連付けられている場合に、画像データベース４１７において、検出した語句と関連付けられている画像データを、音声の再生に併せて再生される画像として決定する（ステップＳ６２１）。
【０２４９】
また、音声解析部２４は、音声表現データベースから、ｍ番目の文に含まれる、音声表現を示す語句に関連付けられている表現のパラメータ（速度、音量、及び、Ｗａｉｔのパラメータ）を、音声表現を示す語句に対応する台詞が再生される際に参照されるパラメータとして決定する。また、音声解析部２４は、文章解析部２１からｍ番目の文が供給されると、ｍ番目の文が台詞である場合には、台詞に設定されているフラグと登場人物データ格納領域とを参照して、何れの登場人物の台詞であるかを特定し、台詞が再生される音声を決定する（ステップＳ６２２）。
【０２５０】
解析部２０は、音声解析部２４において決定された再生の速度、音量、及び、Ｗａｉｔのパラメータ、及び、文章解析部２１においてｍ番目の文に含まれる台詞に設定された連番のフラグを、変換部３０に供給する（ステップＳ６２３）。
【０２５１】
解析部２０は、再生の速度、音量、及び、Ｗａｉｔのパラメータ、及び、ｍ番目の文に含まれる台詞に設定された連番のフラグを変換部３０に供給すると、文章データを構成する全ての文について上述した処理を行ったか否かを判定する（ステップＳ６２４）。
【０２５２】
文章データを構成する全ての文について上述した処理を行っていない場合（ステップＳ６２４においてＮＯ）、解析部２０は、次の文（ここでは、ｍ＋１番目の文）に移り（ステップＳ６２５）、ステップＳ６０１からＳ６２４までの処理を繰り返す。
【０２５３】
文章データを構成する全ての文についてステップＳ６０１からＳ６２４までの処理を行った場合（ステップＳ６２４においてＹＥＳ）、解析部２０は、劇文学の音声再生処理を終了する。
【０２５４】
また、劇文学の音声再生処理が終了すると、変換部３０は、音声変換部３１、効果音変換部３２及び画像変換部３３において、文章データの音声、効果音、音楽及び画像が出力されるように、音声出力部５１、及び、表示部５２を駆動することによって、文章データの音声再生、効果音及び音楽の再生、及び、画像の表示を実行する。
【０２５５】
なお、文章データが劇文学である場合、文章データの始め（例えば、表紙）には、劇文学のタイトル及び著者などが含まれていることが一般的であるが、タイトル及び著者なども、柱書き及びト書きなどのナレーションの再生と同様にして再生すればよい。
【０２５６】
このように、文章データに含まれる台詞にフラグを設定することにより、音声解析部２４における、台詞の再生に用いられる音声を決定するまでの処理を、より簡単にすることができる。
【０２５７】
なお、本実施形態では、柱書き及びト書きなどのナレーションを、文章データの再生と併せて表示部５２に表示する構成を例に挙げて説明したが、これに限定されるものではない。例えば、第２音声のように、ナレーションを他の文章データの再生と重ねて再生する構成を採用してもよいし、ナレーションを他の文章データの再生と重ねて再生すると共に、表示部５２に表示する構成を採用してもよい。
【０２５８】
上述の構成によれば、劇文学である文章データの柱書き又はト書き部分を、表示部５２に表示させることができる。これによって、ユーザは、ト書きで表現された、上記登場人物の動作、及び、柱書きで表現された、シーンの場所及び時間などを、音声再生される文章データと併せて知ることができ、上記文章データの内容をより楽しむことができる。
【０２５９】
また、表示部５２がＯＦＦ状態である場合には、表示部５２をＯＮ状態にした上で、柱書き又はト書き部分を表示させることで、ユーザは表示部５２がＯＦＦ状態である場合であっても、柱書き又はト書きを見ることができる。
【０２６０】
また、登場人物の台詞を、当該登場人物の台詞の表現に関する語句によって表現された表現方法で、音声再生することによって、音声解析部２４及び音声変換部３１は、登場人物の台詞を、文章データの場面に沿った適切な表現で音声再生することができ、ユーザは、登場人物の台詞を、文章データの場面に沿った表現で楽しむことができる。
【０２６１】
本発明は上述した実施形態および実施例に限定されるものではなく、請求項に示した範囲で種々の変更が可能であり、上記実施形態にそれぞれ開示された技術的手段を適宜組み合わせて得られる他の実施形態についても本発明の技術的範囲に含まれる。
【０２６２】
＜変形例＞
次に、本発明の変形例について、以下に説明する。なお、説明の便宜上、実施形態１に係る構成要素と同様の機能を有する構成要素には同一の番号を付し、その説明を省略する。本実施形態では、主に、実施形態１との相違点について説明するものとする。
【０２６３】
上述した実施形態では、文章データが電子メールである場合、文章データの属性が劇文学である場合、及び、劇文学以外である場合、それぞれ個別に処理を実行する場合について説明を行ったが、もちろん、一連の処理として実行してもよい。
【０２６４】
本変形例に係る電子機器１における音声再生処理について、図１９を主に参照して説明する。図１９は、本変形例に係る電子機器１における音声再生処理の流れを示す図である。
【０２６５】
図１９に示すように、電子機器１は、文章データが入力されると、属性情報読取部１０において、文章データが電子メールであるか否かを判定する（ステップＳ７０１）。
【０２６６】
文章データが電子メールである場合（ステップＳ７０１においてＹＥＳ）、電子機器１は、図１５に示す電子メールの音声決定処理を実行する（ステップＳ７０２）。
【０２６７】
文章データが電子メールでない場合（ステップＳ７０１においてＮＯ）、属性情報読取部１０は、文章データから、ジャンル及び著者を含む属性情報を読み取る（ステップＳ７０３）。
【０２６８】
属性情報読取部１０は、属性情報よ読み取ると、属性情報に含まれるジャンルから、文章データが劇文学であるか否かを判定する（ステップＳ７０４）。
【０２６９】
文章データが劇文学であると判定すると（ステップＳ７０４においてＹＥＳ）、電子機器１は、図１８に示す劇文学の音声決定処理を実行する（ステップＳ７０５）。
【０２７０】
文章データが劇文学でないと判定すると（ステップＳ７０４においてＮＯ）、属性情報読取部１０は、ジャンルデータベース４１１及び人名・性別データベース４１２を参照して、図１１に示す再生音声決定処理を行い、読み取った属性情報から再生に用いられる音声を決定する（ステップＳ７０６）。
【０２７１】
また、属性情報読取部１０は、読み取った属性情報を、データベース記憶部４１に含まれる属性情報データベース４１８に格納し（ステップＳ７０７）、入力された文章データを文章解析部２１に供給する。
【０２７２】
文章解析部２１は、属性情報読取部１０から文章データが供給されると、供給された文章データを読み込む（ステップＳ７０８）。
【０２７３】
文章解析部２１は、文章データを読み込むと、読み込んだ文章データを記憶部４０に格納する（ステップＳ７０９）と共に、読み込んだ文章データを、登場人物解析部２２、テーマ解析部２３、音声解析部２４、効果音解析部２５、及び、画像解析部２６に供給する。
【０２７４】
文章解析部２１から文章データが供給されると、登場人物解析部２２は、供給された文章データから、登場人物の姓、名、愛称、及び、登場人物の年齢及び性別を含む属性を検出し、それぞれを関連づけて、人名・性別データベース４１２に含まれる登場人物データ格納領域に格納する。
【０２７５】
音声解析部２４は、文章解析部２１から供給された文章データから、登場人物の姓、名、及び、愛称の何れかを検出し、音声データベース４１３において、登場人物データ格納領域おいて検出した登場人物の姓、名、及び、愛称の何れかと関連付けられている性別及び年齢を示す音声の種類と関連付けられている音声データを、登場人物の台詞に関する文章データを再生する音声に用いられる音声データとして決定する（ステップＳ７１０）。
【０２７６】
文章解析部２１、及び、テーマ解析部２３は、文章データを構成する章毎のテーマを決定する、図１２に示すテーマ決定処理を実行する（ステップＳ７１１）。
【０２７７】
効果音解析部２５は、文章解析部２１から文章データが供給されると、文章を構成する各章から検出した語句が、テーマ解析部２３において決定されたテーマとテーマデータベース４１４において関連付けられている場合に、効果音データベース４１５において、検出した語句と関連付けられている効果音データを、音声の再生に併せて再生される効果音として決定する（ステップＳ７１２）。
【０２７８】
また、効果音解析部２５は、文章解析部２１から文章データが供給されると、文章を構成する各章から検出した語句が、テーマ解析部２３において決定されたテーマとテーマデータベース４１４において関連付けられている場合に、音楽データベース４１６において、検出した語句と関連付けられている音楽データを、音声の再生に併せて再生される音楽として決定する（ステップＳ７１３）。
【０２７９】
画像解析部２６は、文章解析部２１から文章データが供給されると、文章を構成する各章から検出した語句が、テーマ解析部２３において決定されたテーマとテーマデータベース４１４において関連付けられている場合に、画像データベース４１７において、検出した語句と関連付けられている画像データを、音声の再生に併せて表示される画像として決定する（ステップＳ７１４）。
【０２８０】
解析部２０は、効果音解析部２５、及び、画像解析部２６において、音声の再生に併せて出力される効果音、音楽、及び、画像を決定すると、文章データと共に、音声データ、効果音データ、音楽データ、及び、画像データを、変換部３０に供給する。
【０２８１】
変換部３０は、文章データ、音声データ、効果音データ、音楽データ、及び、画像データが供給されると、効果音、音楽、及び、画像を出力する出力時間を決定する、図１３に示す出力時間決定処理を実行する（ステップＳ７１５）。
【０２８２】
電子メールの音声決定処理、劇文学の音声決定処理、又は、出力時間決定処理が終了すると、変換部３０は、音声変換部３１、効果音変換部３２及び画像変換部３３において、文章データの音声、効果音、音楽及び画像が出力されるように、音声出力部５１、及び、表示部５２を駆動することによって、文章データの音声再生、効果音及び音楽の再生、及び、画像の表示を実行する（ステップＳ７１６）。
【０２８３】
〔プログラム、記録媒体〕
電子機器１の各ブロックは、集積回路（ＩＣチップ）上に形成された論理回路によってハードウェア的に実現してもよいし、ＣＰＵ（Central Processing Unit）を用いてソフトウェア的に実現してもよい。
【０２８４】
後者の場合、電子機器１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである電子機器１の制御プログラムのプログラムコード（実行形式プログラム、中間コードプログラム、ソースプログラム）をコンピュータで読み取り可能に記録した記録媒体を、電子機器１に供給し、そのコンピュータ（またはＣＰＵやＭＰＵ）が記録媒体に記録されているプログラムコードを読み出し実行することによっても、達成可能である。
【０２８５】
上記記録媒体としては、例えば、ハードディスク等の磁気ディスクやＣＤ−ＲＯＭ／ＣＤ−Ｒ／ＣＤ−ＲＷ／ＭＯ／ＤＶＤ−ＲＯＭ／ＤＶＤ−Ｒ／ＤＶＤ−ＲＷ／Ｂｌｕ−ｒａｙディスク（ＢＤ）−ＲＯＭ／ＢＤ−Ｒ／ＢＤ−ＲＥ等の光ディスクを含むディスク類、ＩＣカード（メモリカードを含む）／光カード等のカード類、マスクＲＯＭ／ＥＰＲＯＭ／ＥＥＰＲＯＭ／フラッシュメモリ等の半導体メモリ類などを用いることができる。
【０２８６】
また、上記プログラムコードは、通信ネットワークを介して電子機器１に供給してもよい。この通信ネットワークは、プログラムコードを伝送可能であればよく、特に限定されない。例えば、インターネット、ＬＡＮ、ＣＡＴＶ通信網、電話回線網、移動体通信網等が利用可能である。また、この通信ネットワークを構成する伝送媒体も、特定の構成または種類のものに限定されない。例えば、電話線、ＬＡＮケーブル、ケーブルＴＶ回線等のメタルケーブルや、ＦＴＴＨ等の光ファイバを利用した有線でも、携帯電話回線、ＷＬＡＮ等の電波、ＩｒＤＡやリモコンのような赤外線などを利用した無線でも利用可能である。
【０２８７】
本発明は上述した実施形態および実施例に限定されるものではなく、請求項に示した範囲で種々の変更が可能であり、上記実施形態にそれぞれ開示された技術的手段を適宜組み合わせて得られる他の実施形態についても本発明の技術的範囲に含まれる。
【産業上の利用可能性】
【０２８８】
本発明は、電子書籍機器、携帯電話、パーソナルコンピュータなど、電子書籍を表示可能であって音声出力可能な装置に好適に利用することができる。
【符号の説明】
【０２８９】
１          電子機器
１０        属性情報読取部（属性情報読取手段）
２０        解析部
２１        文章解析部（文章解析手段）
２２        登場人物解析部（登場人物解析手段）
２３        テーマ解析部（テーマ解析手段）
２４        音声解析部（音声再生手段）
２５        効果音解析部（効果音再生手段、音楽再生手段）
２６        画像解析部（画像表示手段）
３０        変換部
３１        音声変換部（音声再生手段）
３２        効果音変換部（効果音再生手段、音楽再生手段）
３３        画像変換部（画像表示手段）
４０        記憶部
４１        データベース記憶部
４２        語句検出回数記憶部
５１        音声出力部
５２        表示部
５３        ユーザ指示取得部
５４        機能制御部
５５        外部データ取得部（外部データ取得手段）
【図１】
2013025112.tif 000003
【図２】
2013025112.tif 000004
【図３】
2013025112.tif 000005
【図４】
2013025112.tif 000006
【図５】
2013025112.tif 000007
【図６】
2013025112.tif 000008
【図７】
2013025112.tif 000009
【図８】
2013025112.tif 000010
【図９】
2013025112.tif 000011
【図１０】
2013025112.tif 000012
【図１１】
2013025112.tif 000013
【図１２】
2013025112.tif 000014
【図１３】
2013025112.tif 000015
【図１４】
2013025112.tif 000016
【図１５】
2013025112.tif 000017
【図１６】
2013025112.tif 000018
【図１７】
2013025112.tif 000019
【図１８】
2013025112.tif 000020
【図１９】
2013025112.tif 000021